(57)【特許請求の範囲】
【請求項１】
読取部と制御部と記憶部と表示部とを少なくとも備えたＢＩＭシステムであって、前記記憶部は、昇降機のＢＩＭパーツを作成するためのパーツ情報を記憶するパーツ情報記憶手段、を備え、前記制御部は、前記昇降機のカタログ上に表示されたコードであって、前記昇降機のカタログに含まれる前記昇降機または当該昇降機を構成する部材に関する複数の異なる仕様のデザインパターンに対応付けて、各デザインパターンの仕様を特定するコード情報が埋め込まれたコードを、前記読取部を制御して読み取り、当該コードに対応するコード情報を抽出するコード情報抽出手段と、前記コード情報抽出手段により抽出された前記コード情報に基づいた前記ＢＩＭパーツを、前記パーツ情報記憶手段に記憶された前記パーツ情報を用いて作成する昇降機モデリング手段と、前記昇降機モデリング手段により作成された前記ＢＩＭパーツを少なくとも含むレイアウト画面を生成する画面生成手段と、前記画面生成手段により生成された前記レイアウト画面を前記表示部に表示させる画面表示手段と、を備えたことを特徴とするＢＩＭシステム。
【請求項２】
前記制御部は、
前記コード情報抽出手段により抽出された前記コード情報に基づいて、前記昇降機の作成条件を生成する作成条件生成手段、
を更に備え、
前記昇降機モデリング手段は、
前記作成条件生成手段により生成された前記作成条件に対応する前記ＢＩＭパーツを、前記パーツ情報記憶手段に記憶された前記パーツ情報を用いて作成することを特徴とする請求項１に記載のＢＩＭシステム。
【請求項３】
前記コード情報は、前記昇降機を指定する昇降機指定コード情報、および、前記昇降機を構成する部材を指定する部材指定コード情報を含み、
前記作成条件生成手段は、
前記コード情報抽出手段により前記昇降機指定コード情報が抽出された場合は、当該昇降機指定コード情報が指定する前記昇降機を作成する前記作成条件を生成し、
前記コード情報抽出手段により前記部材指定コード情報が複数抽出された場合は、当該部材指定コード情報が指定する前記部材の組合せにより構成される前記昇降機を作成する前記作成条件を生成することを特徴とする請求項２に記載のＢＩＭシステム。
【請求項４】
前記作成条件生成手段は、
建築物のＢＩＭモデル内の前記昇降機の設置予定領域に設置可能なように、前記作成条件を生成することを特徴とすることを特徴とする請求項２または３に記載のＢＩＭシステム。
【請求項５】
入力部を更に備え、
前記作成条件生成手段は、
前記コード情報抽出手段により抽出された前記コード情報、および、利用者により前記入力部を介して入力される詳細条件に基づいて、前記作成条件を生成することを特徴とする請求項２から４のうちいずれか一項に記載のＢＩＭシステム。
【請求項６】
前記記憶部は、
前記建築物のＢＩＭモデルを記憶するＢＩＭモデル記憶手段、
を更に備え、
前記制御部は、
前記昇降機モデリング手段により作成された前記ＢＩＭパーツを、前記ＢＩＭモデル記憶手段に記憶された前記ＢＩＭモデル内の設置予定領域に設置した統合ＢＩＭモデルを作成する統合モデリング手段、
を更に備え、
前記画面生成手段は、
前記統合モデリング手段により作成された前記統合ＢＩＭモデルを含む前記レイアウト画面を生成することを特徴する請求項１から５のうちいずれか一項に記載のＢＩＭシステム。
【請求項７】
前記画面生成手段は、
前記昇降機モデリング手段により作成された前記ＢＩＭパーツに対応する前記昇降機のパース図および見積り情報のうち少なくとも一つを更に含む前記レイアウト画面を生成することを特徴とする請求項１から６のうちいずれか一項に記載のＢＩＭシステム。
【請求項８】
前記制御部は、
前記コード情報抽出手段により前記読取部を制御して読み取った前記コードの読取回数を種類ごとに集計する集計手段、
を更に備えたことを特徴とする請求項１から７のうちいずれか一項に記載のＢＩＭシステム。
【発明の詳細な説明】
【技術分野】
【０００１】
本発明の実施形態は、ＢＩＭシステムに関する。
【０００２】
従来、昇降機メーカの担当者は、昇降機を備える建築物を設計する客先に対して、平面図や断面図等の二次元図面およびカタログや納入実績等の写真を使用して、昇降機の設備計画を提案していた。そこで、近年、昇降機の設備計画を提案する際、昇降機を視覚的に分かりやすく表示する技術が求められている。
【先行技術文献】
【特許文献】
【０００３】
【特許文献１】特開２０１０−２６２５８０号公報
【発明の概要】
【発明が解決しようとする課題】
【０００４】
本発明が解決しようとする課題は、昇降機の設備計画を提案する際、昇降機を視覚的に分かりやすく表示することができるＢＩＭシステムを提供することである。
【課題を解決するための手段】
【０００５】
実施形態のＢＩＭシステムは、読取部と制御部と記憶部と表示部とを少なくとも備えたＢＩＭシステムである。前記記憶部は、昇降機のＢＩＭパーツを作成するためのパーツ情報を記憶するパーツ情報記憶手段、を備える。前記制御部は、前記昇降機のカタログ上に表示されたコードであって、前記昇降機のカタログに含まれる前記昇降機または当該昇降機を構成する部材に関する複数の異なる仕様のデザインパターンに対応付けて、各デザインパターンの仕様を特定するコード情報が埋め込まれたコードを、前記読取部を制御して読み取り、当該コードに対応するコード情報を抽出するコード情報抽出手段と、前記コード情報抽出手段により抽出された前記コード情報に基づいた前記ＢＩＭパーツを、前記パーツ情報記憶手段に記憶された前記パーツ情報を用いて作成する昇降機モデリング手段と、前記昇降機モデリング手段により作成された前記ＢＩＭパーツを少なくとも含むレイアウト画面を生成する画面生成手段と、前記画面生成手段により生成された前記レイアウト画面を前記表示部に表示させる画面表示手段と、を備える。
【図面の簡単な説明】
【０００６】
【図１】図１は、建築物の設計図書およびＢＩＭモデルの一例を示す概念図である。
【図２】図２は、第１の実施形態におけるＢＩＭシステムの構成の一例を示すブロック図である。
【図３】図３は、第１の実施形態におけるＢＩＭシステムの処理の一例を示すフローチャートである。
【図４】図４は、コードが表示された昇降機のカタログの一例を示す図である。
【図５】図５は、コードが表示された昇降機のカタログの一例を示す図である。
【図６】図６は、コードが表示された昇降機のカタログの一例を示す図である。
【図７】図７は、コードが表示された昇降機のカタログの一例を示す図である。
【図８】図８は、コードが表示された昇降機のカタログの一例を示す図である。
【図９】図９は、昇降機のＢＩＭパーツの一例を示す図である。
【図１０】図１０は、レイアウト画面の一例を示す図である。
【図１１】図１１は、第２の実施形態におけるＢＩＭシステムの構成の一例を示すブロック図である。
【図１２】図１２は、第２の実施形態におけるＢＩＭシステムの処理の一例を示すフローチャートである。
【図１３】図１３は、第３の実施形態におけるＢＩＭシステムの構成の一例を示すブロック図である。
【図１４】図１４は、第３の実施形態におけるＢＩＭシステムの処理の一例を示すフローチャートである。
【発明を実施するための形態】
【０００７】
以下に、実施形態にかかるＢＩＭシステム、サーバ装置、端末装置、方法およびプログラムの実施の形態を図面に基づいて詳細に説明する。なお、この実施の形態によりこの発明が限定されるものではない。
【０００８】
ここで、図１を参照して、実施形態において利用されるＢＩＭ（ビルディングインフォメーションモデリング）の概要について説明する。図１は、建築物の設計図書およびＢＩＭモデルの一例を示す概念図である。図１では、建築物の設計図書による設計方法とＢＩＭによる設計方法との違いを表している。図１の左側に示すように、建築物の設計図書による設計方法では、建築物の設計に関わる各業種が個々に専門図面を作成しているため、各々が関連性および整合性を各々とる必要がある。つまり、建築物の設計図書による設計方法では、例えば関連する設計図書の修正が必要となり、また、その整合性のチェックも必要となる。一方、図１の右側に示すＢＩＭによる設計方法では、各業種にて建物全体データである建築物の３次元モデル（すなわち、建築物のＢＩＭモデル）を共有することができるので、１個のデータ上で関連性および整合性の確認を行うことができる。以下の実施形態では、このＢＩＭを使用した昇降機客先提案システムについて説明する。
【０００９】
以下、実施形態の構成および処理について、第１の実施形態（ＢＩＭシステム（機能分散型））、第２の実施形態（ＢＩＭシステム（サーバ主導型））、第３の実施形態（ＢＩＭシステム（スタンドアロン型））の順にて詳細に説明する。
【００１０】
［第１の実施形態］
最初に、第１の実施形態について、図２乃至図１０を参照して以下に説明する。なお、第１の実施形態で例示するＢＩＭシステムにおけるサーバ側と端末側の機能分散の形態は以下に限られず、同様の効果や機能を奏し得る範囲において、任意の単位で機能的または物理的に分散・統合して構成することができる。
【００１１】
［第１の実施形態におけるＢＩＭシステムの構成］
まず、第１の実施形態におけるＢＩＭシステムの構成の一例について、図２を参照して以下に説明する。図２は、第１の実施形態におけるＢＩＭシステムの構成の一例を示すブロック図であり、該構成のうち主要な部分を概念的に示している。なお、本実施形態においては、通信型のＢＩＭシステムを具体例として説明するが、これに限ることなく、スタンドアロン型のＢＩＭシステムなどにも適用可能である。
【００１２】
図２に示すように、第１の実施形態のＢＩＭシステムは、概略的に、昇降機の３次元モデル（すなわち、昇降機のＢＩＭパーツ）等の情報を提供できるサーバ装置２００、および、単数または複数のＢＩＭアプリケーション等を搭載した端末装置１００、を通信可能に接続して構成される。ここで、図２に示すように、通信には、一例として、ネットワーク３００を介した有線・無線通信等の遠隔通信等を含む。また、これらＢＩＭシステムの各部は任意の通信路を介して通信可能に接続されている。
【００１３】
図２に示すように、第１の実施形態のＢＩＭシステムにおいて、サーバ装置２００は、概略的に、制御部２０２と記憶部２０６とを少なくとも備えており、端末装置１００は、読取部１１２と出力部（表示部１１４および音声出力部１１６）と入力部１１８と制御部１０２と記憶部１０６とを少なくとも備える。
【００１４】
［サーバ装置２００の構成］
ここで、図２において、サーバ装置２００は、端末装置１００から送信される昇降機の作成条件に対応するＢＩＭパーツを、記憶部２０６に記憶されたパーツ情報を用いて作成し、作成されたＢＩＭパーツを端末装置１００へ送信する等の機能を有する。サーバ装置２００は、通信制御インターフェース部２０４を介してネットワーク３００を経由し、端末装置１００と相互に通信可能に接続されており、制御部２０２と記憶部２０６とを備える。制御部２０２は、各種処理を行う制御手段である。通信制御インターフェース部２０４は、通信回線や電話回線等に接続されるアンテナやルータ等の通信装置（図示せず）に接続されるインターフェースであり、サーバ装置２００とネットワーク３００との間における通信制御を行う機能を有する。すなわち、通信制御インターフェース部２０４は、端末装置１００等と通信回線を介してデータを通信する機能を有している。記憶部２０６は、ＨＤＤ（Ｈａｒｄ  Ｄｉｓｋ  Ｄｒｉｖｅ）等の固定ディスク装置またはＳＳＤ（Ｓｏｌｉｄ  Ｓｔａｔｅ  Ｄｒｉｖｅ）等のストレージ手段であり、各種のデータベースやテーブル（パーツ情報データベース２０６ａ等）を格納する。
【００１５】
これら記憶部２０６の各構成要素のうち、パーツ情報データベース２０６ａは、建築物のＢＩＭモデルに組込可能な昇降機のＢＩＭパーツを作成するためのパーツ情報を記憶するパーツ情報記憶手段である。本実施形態において、昇降機は、エレベータおよび乗客コンベアを含む概念であり、乗客コンベアは、エスカレータおよび動く歩道を含む。ここで、パーツ情報は、利用者が建築物のＢＩＭモデルに組み込む昇降機のＢＩＭパーツを設計する上で必要となるあらゆる情報を含む。パーツ情報としては、例えば、用途、定員、積載量、動作速度、色、機種等といった昇降機の仕様、昇降機を建築物に設置する際に必要とされるスペース、寸法、各種付属設備に関する情報、昇降機を構成する必要部材の部材強度、価格、寸法、質量、色、素材、固有振動数といった情報の他、納期、在庫状況、据付時間、仕上げ材、耐用年数、メーカ情報、品番型番などが挙げられるが、上記に限定されない。
【００１６】
より具体的には、本実施形態において、パーツ情報は、例えば、後述の制御部１０２の処理によりＢＩＭパーツをＢＩＭモデルに組み込む際等に用いられるＢＩＭパーツのサイズ情報を含む。ここで、ＢＩＭパーツのサイズ情報は、ＢＩＭパーツを構成する各ユニット、構成部品のサイズ情報も含む。ＢＩＭパーツを構成する各ユニットとしては、例えば、本実施形態のように昇降機がエレベータである場合には、昇降路、乗りかご、カウンタウェイト、メインロープ、巻上機、ガイドレール、乗り場ホール関連品、機械室、制御盤、電源設備、各種配線配管等が挙げられる。また、ＢＩＭパーツを構成する各ユニットとしては、例えば、昇降機がエスカレータである場合には、トラス、踏段、踏段チェーン、移動手摺、乗降板、欄干、駆動装置、機械室、制御盤、電源設備、各種配線配管等が挙げられる。また、パーツ情報は、例えば、後述の制御部１０２の処理よりＢＩＭパーツを変更する際に用いられる設定パラメータを含む。ここで、設定パラメータは、ＢＩＭパーツを構成する各ユニットのサイズ、色、材質、上記各種配線配管等を規定するパラメータを含む。なお、ＢＩＭパーツは、典型的なＢＩＭモデルと同様に、このＢＩＭパーツ自体に対象の昇降機に関連するパーツ情報等の属性情報を含んでいる。
【００１７】
図２において、制御部２０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、条件受信部２０２ａ、昇降機モデリング部２０２ｂ、情報提供部２０２ｃ、パース図作成部２０２ｄ、見積り計算部２０２ｅ、および、集計部２０２ｆを備える。
【００１８】
このうち、条件受信部２０２ａは、端末装置１００から送信される作成条件を受信する条件受信手段である。ここで、作成条件は、利用者が所望する昇降機の仕様を示す条件である。つまり、作成条件は、建築物のＢＩＭモデル内に設置される昇降機のＢＩＭパーツを作成するための条件を指定する。作成条件にはこの他、希望の価格、納期等を含んでもよい。本実施形態において、作成条件は、端末装置１００において、昇降機のカタログ１０上に表示されたコード２０を、読取部１１２を制御して読み取り、当該コード２０に対応するコード情報を抽出し、抽出されたコード情報に基づいて生成された条件を含む。この他、作成条件は、コード情報に基づいて生成された条件以外に、利用者により端末装置１００において入力部１１８を介して入力されたものであってもよいし、予め作成条件が記憶された外部記憶装置（図示せず）から読み込まれたものであってもよい。
【００１９】
また、昇降機モデリング部２０２ｂは、条件受信部２０２ａにより受信された作成条件に対応する昇降機のＢＩＭパーツを、パーツ情報データベース２０６ａに記憶されたパーツ情報を用いて作成する昇降機モデリング手段である。ここで、昇降機モデリング部２０２ｂは、作成条件に合致する範囲内でＢＩＭパーツを複数作成してもよい。また、昇降機モデリング部２０２ｂは、作成した昇降機のＢＩＭパーツを記憶部２０６に格納して、ＢＩＭパーツデータベース（図示せず）を構築してもよい。
【００２０】
また、情報提供部２０２ｃは、昇降機モデリング部２０２ｂにより作成された昇降機のＢＩＭパーツ等を含むサーバ装置２００の計算結果を端末装置１００へ送信する情報提供手段である。ここで、情報提供部２０２ｃは、複数のＢＩＭパーツを含む計算結果を端末装置１００へ送信してもよい。また、情報提供部２０２ｃは、パース図作成部２０２ｄにより作成された昇降機のパース図を含む計算結果を端末装置１００へ送信してもよい。また、情報提供部２０２ｃは、見積り計算部２０２ｅにより計算された昇降機の見積り情報を含む計算結果を端末装置１００へ送信してもよい。
【００２１】
また、パース図作成部２０２ｄは、昇降機モデリング部２０２ｂにより作成された昇降機のパース図を、作成されたＢＩＭパーツに含まれるパーツ情報（例えば、ＢＩＭパーツを構成する各ユニットのサイズ、色、材質等を示す情報）に基づいて作成するパース図作成手段である。
【００２２】
また、見積り計算部２０２ｅは、昇降機モデリング部２０２ｂにより作成されたＢＩＭパーツに含まれるパーツ情報（例えば、昇降機を構成する部材の価格を示す情報）に基づいて、当該ＢＩＭパーツに対応する昇降機の見積り情報を計算する見積り計算手段である。
【００２３】
また、集計部２０２ｆは、端末装置１００において、昇降機のカタログ１０上に表示されたコード２０を読取部１１２を制御して読み取った際に取得されるコードの読取回数を、端末装置１００から受信して、コードの種類ごとに集計する集計手段である。
【００２４】
［端末装置１００の構成］
また、図２において、端末装置１００は、昇降機のカタログ１０上に表示されたコード２０を、読取部１１２を制御して読み取り、当該コードに対応するコード情報を抽出し、抽出されたコード情報に基づく昇降機の作成条件をサーバ装置２００へ送信する等の機能を有する。また、端末装置１００は、サーバ装置２００から送信される作成条件に対応するＢＩＭパーツを受信し、受信されたＢＩＭパーツを少なくとも含むレイアウト画面を生成し、生成されたレイアウト画面を表示部１１４に表示させる等の機能を有する。端末装置１００は、例えば、一般に市販されるデスクトップ型またはノート型のパーソナルコンピュータ等の情報処理装置、携帯電話、スマートフォン、ＰＨＳ、およびＰＤＡ等の携帯端末装置等である。ここで、端末装置１００は、インターネットブラウザ等を搭載していてもよく、ＢＩＭアプリケーション等を搭載していてもよい。
【００２５】
また、端末装置１００は、所定のコードを読取可能な読取部１１２を備える。所定のコードは、例えば、ＱＲコード（登録商標）、バーコード等を含む。読取部１１２は、これらのコードを読取可能な例えばＱＲコードリーダ、バーコードリーダ等の読取手段である。また、読取部１１２は、これらのコードを撮影可能なカメラ等の撮影手段であってもよく、この場合、制御部１０２は、撮影されたコードの画像から画像解析によりコード情報を抽出する。また、端末装置１００は、表示部１１４と音声出力部１１６とを少なくとも含む出力部を備える。また、端末装置１００は、データ入力等を行う入力部１１８を備える。
【００２６】
ここで、表示部１１４は、アプリケーション等の表示画面を表示する表示手段（例えば、液晶または有機ＥＬ等から構成されるディスプレイ、モニタ、および、タッチパネル等）であってもよい。また、音声出力部１１６は、音声情報を音声として出力する音声出力手段（例えば、スピーカ等）であってもよい。また、入力部１１８は、例えば、キー入力部、タッチパネル、コントロールパッド（例えば、タッチパッド、および、ゲームパッド等）、マウス、キーボード、および、マイク等であってもよい。また、入出力制御インターフェース部１０８は、読取部１１２、表示部１１４、音声出力部１１６、および、入力部１１８等の制御を行う。
【００２７】
また、通信制御インターフェース部１０４は、通信回線や電話回線等に接続されるアンテナやルータ等の通信装置（図示せず）に接続されるインターフェースであり、端末装置１００とネットワーク３００との間における通信制御を行う機能を有する。すなわち、通信制御インターフェース部１０４は、サーバ装置２００等と通信回線を介してデータを通信する機能を有している。また、ネットワーク３００は、端末装置１００およびサーバ装置２００と、外部機器または外部システムとを相互に接続する機能を有し、例えば、インターネット、電話回線網（携帯端末回線網および一般電話回線網等）、イントラネット、または、電力線通信（ＰＬＣ）等であってもよい。
【００２８】
また、記憶部１０６は、ＨＤＤやＳＳＤ等の大容量のストレージ手段、および／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段であり、各種のデータベースやファイルやテーブル（ＢＩＭモデルデータベース１０６ａ等）を格納してもよい。ここで、記憶部１０６は、各種のファイル等を一時的に記憶するものであってもよい。
【００２９】
ＢＩＭモデルデータベース１０６ａは、建築物のＢＩＭモデルを記憶するＢＩＭモデル記憶手段である。本実施形態において、ＢＩＭモデルデータベース１０６ａには、予め設計者により設計された建築物のＢＩＭモデルが格納されている。ＢＩＭモデルには、例えば、建物形状、空間関係、地理情報、建物部材の数量や特性、部材強度、固有振動数、耐用年数等の構造情報が含まれるが、これらに限定されない。なお、ＢＩＭモデルは、このＢＩＭモデル自体に対象の建築物に関する建物情報等の属性情報を含んでいる。例えば、建物情報は、建物用途、建物規模、階床数、階床名、階高、各階の使用用途、フロア人員、占有面積等から算出可能な昇降機の利用人数などの情報を含むが、これらに限定されない。更に、建物情報は、対象の建築物を構成する各構造ユニットに関する寸法、位置等を示す構造情報を含んでいてもよい。ここで、ＢＩＭモデルを構成する各構造ユニットとしては、例えば、建築物に配置される部屋、壁、通路、非常階段、避難経路、ガス管、水道管、火災報知機、スプリンクラー、梁等が挙げられる。
【００３０】
また、制御部１０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、コード情報抽出部１０２ａ、作成条件生成部１０２ｂ、条件送信部１０２ｃ、情報取得部１０２ｄ、統合モデリング部１０２ｅ、画面生成部１０２ｆ、画面表示部１０２ｇ、変更部１０２ｈ、および、コード読取回数カウント部１０２ｉを備える。
【００３１】
このうち、コード情報抽出部１０２ａは、昇降機のカタログ１０上に表示されたコード２０を、読取部１１２を制御して読み取り、当該コード２０に対応するコード情報を抽出するコード情報抽出手段である。コード情報は、昇降機を指定する昇降機指定コード情報、および、昇降機を構成する部材を指定する部材指定コード情報を含む。
【００３２】
また、作成条件生成部１０２ｂは、コード情報抽出部１０２ａにより抽出されたコード情報に基づいて、昇降機の作成条件を生成する作成条件生成手段である。ここで、作成条件生成部１０２ｂは、コード情報抽出部１０２ａにより昇降機指定コード情報が抽出された場合は、当該昇降機指定コード情報が指定する昇降機を作成する作成条件を生成する。また、作成条件生成部１０２ｂは、コード情報抽出部１０２ａにより部材指定コード情報が複数抽出された場合は、当該部材指定コード情報が指定する部材の組合せにより構成される昇降機を作成する作成条件を生成する。なお、本実施形態において、作成条件生成部１０２ｂは、ＢＩＭモデル内の昇降機の設置予定領域に設置可能なように、作成条件を生成するものとする。また、作成条件生成部１０２ｂは、コード情報抽出部１０２ａにより抽出されたコード情報、および、利用者により入力部１１８を介して入力される詳細条件に基づいて、作成条件を生成してもよい。
【００３３】
また、条件送信部１０２ｃは、コード情報抽出部１０２ａにより抽出されたコード情報に基づく昇降機の作成条件をサーバ装置２００へ送信する条件送信手段である。つまり、条件送信部１０２ｃは、コード情報抽出部１０２ａにより抽出されたコード情報に基づいて作成条件生成部１０２ｂにより生成された昇降機の作成条件をサーバ装置２００へ送信する。上述のように作成条件には希望の価格、納期等を含めてもよい。つまり、作成条件は、建築物のＢＩＭモデルに組込可能な昇降機のＢＩＭパーツを作成するための条件を指定する。また、作成条件は、コード情報に基づいて生成された条件以外に、利用者により入力部１１８を介して入力されたものであってもよいし、予め作成条件が記憶された外部記憶装置（図示せず）から読み込まれたものであってもよい。
【００３４】
また、情報取得部１０２ｄは、サーバ装置２００から送信される作成条件に対応するＢＩＭパーツを含む計算結果を受信する情報取得手段である。ここで、情報取得部１０２ｄは、複数のＢＩＭパーツを含む計算結果をサーバ装置２００から受信してもよい。また、情報取得部１０２ｄは、サーバ装置２００において作成された昇降機のパース図を含む計算結果をサーバ装置２００から受信してもよい。また、情報取得部１０２ｄは、サーバ装置２００において計算された昇降機の見積り情報を含む計算結果をサーバ装置２００から受信してもよい。
【００３５】
また、統合モデリング部１０２ｅは、情報取得部１０２ｄにより受信されたＢＩＭパーツを、ＢＩＭモデルデータベース１０６ａに記憶されたＢＩＭモデル内の設置予定領域に設置した統合ＢＩＭモデルを作成する統合モデリング手段である。ここで、統合モデリング部１０２ｅは、作成した統合ＢＩＭモデルを記憶部１０６に格納して、統合ＢＩＭモデルデータベース（図示せず）を構築してもよい。
【００３６】
また、画面生成部１０２ｆは、情報取得部１０２ｄにより受信されたＢＩＭパーツを少なくとも含むレイアウト画面を生成する画面生成手段である。ここで、画面生成部１０２ｆは、統合モデリング部１０２ｅにより作成された統合ＢＩＭモデルを含むレイアウト画面を生成してもよい。また、画面生成部１０２ｆは、情報取得部１０２ｄにより受信されたＢＩＭパーツに対応する昇降機のパース図および見積り情報のうち少なくとも一つを更に含むレイアウト画面を生成してもよい。
【００３７】
また、画面表示部１０２ｇは、画面生成部１０２ｆにより生成されたレイアウト画面を表示部１１４に表示させる画面表示手段である。
【００３８】
また、変更部１０２ｈは、画面表示部１０２ｇにより表示されたレイアウト画面上でＢＩＭパーツを変更する変更手段である。具体的には、変更部１０２ｈは、利用者により入力される変更条件に応じてＢＩＭパーツに含まれるパーツ情報の設定パラメータを変更することで、当該ＢＩＭパーツを変更する。設定パラメータは、ＢＩＭパーツを構成する各ユニットのサイズ、色、材質等を規定するパラメータを含む。
【００３９】
また、コード読取回数カウント部１０２ｉは、コード情報抽出部１０２ａにより昇降機のカタログ１０上に表示されたコード２０を読取部１１２を制御して読み取った際に、コード２０の読取回数をカウントするコード読取回数カウント手段である。ここで、コード読取回数カウント部１０２ｉは、読み取ったコードの読取回数の他、読み取ったコードの種類も取得する。コード読取回数カウント部１０２ｉによりカウントされたコードの読取回数、および、取得されたコードの種類は、制御部１０２によりサーバ装置２００へ送信される。
【００４０】
以上で、第１の実施形態におけるＢＩＭシステムの構成の一例の説明を終える。
【００４１】
［第１の実施形態におけるＢＩＭシステムの処理］
次に、このように構成された第１の実施形態におけるＢＩＭシステムの処理の一例について、以下に図３乃至図１０を参照して詳細に説明する。図３は、第１の実施形態におけるＢＩＭシステムの処理の一例を示すフローチャートである。
【００４２】
図３に示すように、端末装置１００のコード情報抽出部１０２ａは、昇降機のカタログ１０上に表示されたコード２０を、読取部１１２を制御して読み取り、当該コード２０に対応するコード情報を抽出する（ステップＳＡ−１）。コード情報は、昇降機を指定する昇降機指定コード情報、および、昇降機を構成する部材を指定する部材指定コード情報を含む。
【００４３】
ここで、図４〜図８を参照して、ステップＳＡ−１において、コード情報抽出部１０２ａの処理により読取部１１２を介して読み取られるコード２０が表示された昇降機のカタログ１０の一例について、説明する。図４〜図８は、コード２０が表示された昇降機のカタログ１０の一例を示す図である。なお、本実施形態では、コード２０の一例として、ＱＲコードを例に説明するが、これに限定されない。例えば、コード２０は、バーコードであってもよい。
【００４４】
図４および図５は、昇降機のカタログ１０に記載されたデザインパターンの一例を示すページを表している。例えば、図４は、昇降機が設置される建築物がマンションである場合を想定したデザインパターン１（Ｄｅｓｉｇｎ１）が示されており、図５には、デザインパターン２（Ｄｅｓｉｇｎ２）およびデザインパターン３（Ｄｅｓｉｇｎ３）が示されている。各デザインパターン１〜３は、それぞれ異なる仕様となっており、当該仕様を特定するコード情報が埋め込まれたコード２０−１〜３が、各デザインパターン１〜３に対応付けてカタログ１０の任意の位置に表示されている。
【００４５】
例えば、図４のデザインパターン１を例に説明すると、図４のカタログ１０−１に表示されたコード２０−１には、デザインパターン１の仕様を特定する型番「ＧＣ−５０１」（図４において、デザインパターン１の昇降機を指定する昇降機指定コード情報）が埋め込まれている。デザインパターン１の昇降機を指定する昇降機指定コード情報には、図４の型番「ＧＣ−５０１」の仕様が含まれている。この仕様は、デザインパターン１に対応する昇降機を構成する部材として、天井「特殊樹脂コーティングガラスクロス照明」、側板「鋼板製化粧シート貼り仕上」、かごドア「ステンレス製バイブレーション仕上」、幕板「ステンレス製バイブレーション仕上」、操作盤／副操作盤「ステンレス製バイブレーション仕上リターンパネル一体式」、インジケータ「液晶インジケータ」、ボタン「クィックタッチボタン」、幅木「ステンレス製ヘアライン仕上」、床「石貼り（建築工事）」、しきい「ステンレス製」、手すり「木製手すり（三方向）」、鏡「フルハイトミラー」を含む。
【００４６】
また、図５のカタログ１０−２に表示されたコード２０−２には、デザインパターン２の仕様を特定する型番「ＫＡ−３０１」（図５において、デザインパターン２の昇降機を指定する昇降機指定コード情報）が埋め込まれている。また、図５のカタログ１０−２に表示されたコード２０−３には、デザインパターン３の仕様を特定する型番「ＬＤ−３０４」（図５において、デザインパターン３の昇降機を指定する昇降機指定コード情報）が埋め込まれている。デザインパターン２の昇降機およびデザインパターン３の昇降機をそれぞれ指定する昇降機指定コード情報に含まれる仕様の詳細については、図４のデザインパターン１（型番「ＧＣ−５０１」）と仕様の項目が一部異なる点以外は同様であるため、説明を省略する。
【００４７】
このように、図４および図５に示すように、カタログ１０上のコード２０には、昇降機を指定する昇降機指定コード情報が埋め込まれている。これにより、本実施形態では、ステップＳＡ−１において、コード情報抽出部１０２ａは、昇降機のカタログ１０上に表示されたコード２０を、読取部１１２を制御して読み取ることで、当該コード２０に対応する昇降機指定コード情報を抽出することができる。
【００４８】
図６〜図８は、昇降機のカタログ１０に記載された、昇降機を構成する部材の一例を示すページを表している。図６には、ステンレス製ヘアライン仕上かご操作盤のバリエーションが示されている。図７には、かご室側板・かごドア・幕板（非塩ビ系化粧鋼板）のカラーバリエーション、および、かご室天井（非塩ビ系化粧鋼板）のバリエーションが示されている。図８には、住宅用乗り場デザインのバリエーションが示されている。
【００４９】
図６のカタログ１０−３に表示されたコード２０−４〜７には、ステンレス製ヘアライン仕上かご操作盤のバリエーションの４パターンをそれぞれ特定する情報（図６において、昇降機を構成するかご操作盤のフェースプレート、インジケータ、ボタンの組合せを指定する部材指定コード情報）が埋め込まれている。例えば、コード２０−４を例に説明すると、コード２０−４には、フェースプレート「ステンレス製ヘアライン仕上」、インジケータ「デジタル階床表示（アンバー）」、ボタン「凸文字ボタン（抗菌ボタン）」を指定する部材指定コード情報が埋め込まれている。コード２０−５〜７に埋め込まれている部材指定コード情報の詳細については、コード２０−４が指定するインジケータ、ボタンの組合せが異なる点以外は同様であるため、説明を省略する。
【００５０】
この他、図６のカタログ１０−３には、ステンレス製ヘアライン仕上かご操作盤のバリエーションだけでなく、フェースプレート、インジケータ、ボタンを単独でそれぞれ指定する部材指定コード情報が埋め込まれたコード２０−８〜２２が表示されている。例えば、コード２０−８〜１１には、インジケータバリエーションの４パターンをそれぞれ特定する情報（図６において、昇降機を構成するかご操作盤のインジケータを指定する部材指定コード情報）が埋め込まれている。また、コード２０−１２〜２２には、ボタンバリエーションの１１パターンをそれぞれ特定する情報（図６において、昇降機を構成するかご操作盤のボタンを指定する部材指定コード情報）が埋め込まれている。具体的には、コード２０−１２〜１３は、凸文字ボタンの２パターンをそれぞれ指定する部材指定コード情報、コード２０−１４〜２１は、クィックタッチボタンの４パターンをそれぞれ指定する部材指定コード情報、コード２０−２２には、６０ｍｍ大型ボタンの１パターンを指定する部材指定コード情報が埋め込まれている。
【００５１】
図７のカタログ１０−４に表示されたコード２０−２３〜３２には、かご室側板・かごドア・幕板（非塩ビ系化粧鋼板）のカラーバリエーションの１０パターンをそれぞれ特定する情報（図７において、昇降機を構成するかご室側板・かごドア・幕板の色を指定する部材指定コード情報）が埋め込まれている。また、図７のカタログ１０−４に表示されたコード２０−３３〜３５には、かご室天井（非塩ビ系化粧鋼板）のカラーバリエーションの３パターンをそれぞれ特定する情報（図７において、昇降機を構成するかご室天井の色を指定する部材指定コード情報）が埋め込まれている。
【００５２】
図８のカタログ１０−５に表示されたコード２０−３６〜３７には、住宅用乗り場デザインのバリエーションの２パターンをそれぞれ特定する情報（図８において、昇降機を構成する乗り場の三方枠、乗り場ドア、しきい、インジケータ・ボタンの組合せを指定する部材指定コード情報）が埋め込まれている。例えば、コード２０−３６を例に説明すると、コード２０−３６には、三方枠「大枠  ステンレス製ヘアライン仕上」、乗り場ドア「ステンレス製ヘアラインエッチング仕上」、しきい「硬質アルミ製」、車いす専用乗り場インジケータ・ボタン「フェースプレート：ステンレス製ヘアライン仕上（板曲げタイプ）  インジケータ：デジタル階床表示  ボタン：凸文字ボタン（抗菌ボタン）」を指定する部材指定コード情報が埋め込まれている。コード２０−３７に埋め込まれている部材指定コード情報の詳細については、コード２０−３６が指定する三方枠、乗り場ドア、しきい、インジケータ・ボタンの組合せが一部異なる点以外は同様であるため、説明を省略する。
【００５３】
このように、図６〜図８に示すように、カタログ１０上のコード２０には、昇降機を構成する部材を指定する部材指定コード情報が埋め込まれている。これにより、本実施形態では、ステップＳＡ−１において、コード情報抽出部１０２ａは、昇降機のカタログ１０上に表示されたコード２０を、読取部１１２を制御して読み取ることで、当該コード２０に対応する部材指定コード情報を抽出することができる。
【００５４】
図３に戻り、ステップＳＡ−２から、第１の実施形態におけるＢＩＭシステムの処理に説明を続ける。端末装置１００の作成条件生成部１０２ｂは、ステップＳＡ−１にてコード情報抽出部１０２ａの処理により抽出されたコード情報に基づいて、昇降機の作成条件を生成する（ステップＳＡ−２）。
【００５５】
ここで、ステップＳＡ−２において、作成条件生成部１０２ｂは、ステップＳＡ−１にてコード情報抽出部１０２ａの処理により昇降機指定コード情報（例えば、図４および図５に示したコード２０−１〜３にそれぞれ対応する昇降機指定コード情報）が抽出された場合は、当該昇降機指定コード情報が指定する昇降機を作成する作成条件を生成する。また、ステップＳＡ−２において、作成条件生成部１０２ｂは、ステップＳＡ−１にてコード情報抽出部１０２ａの処理により部材指定コード情報（例えば、図６〜図８に示したコード２０−４〜３７にそれぞれ対応する部材指定コード情報）が複数抽出された場合は、当該部材指定コード情報が指定する部材の組合せにより構成される昇降機を作成する作成条件を生成する。
【００５６】
なお、本実施形態において、作成条件生成部１０２ｂは、ＢＩＭモデル内の昇降機の設置予定領域に設置可能なように作成条件を生成するものとする。つまり、作成条件生成部１０２ｂは、ＢＩＭモデルに含まれる属性情報（建築情報、構造情報等）に基づいて、作成条件にしたがって作成されるＢＩＭパーツが昇降機の設置予定領域に設置可能か否かを判定する。そして、作成条件生成部１０２ｂは、設置不可能であると判定した場合は、作成条件が指定する部材のサイズ等を変更することにより、作成条件にしたがって作成されるＢＩＭパーツがＢＩＭモデル内の昇降機の設置予定領域に設置可能なように調整する。
【００５７】
また、ステップＳＡ−２において、作成条件生成部１０２ｂは、ステップＳＡ−１にてコード情報抽出部１０２ａの処理により抽出されたコード情報、および、利用者により入力部１１８を介して入力される詳細条件に基づいて、作成条件を生成してもよい。例えば、利用者は、図４〜図８で示したコード２０−１〜３７から抽出されたコード情報では指定しきれない、オプションの有償付加仕様等を入力部１１８を介して詳細条件として入力する。この場合、作成条件生成部１０２ｂは、コード情報に基づいて作成された作成条件に対して、更に利用者により入力部１１８を介して入力された詳細条件を加えて、最終的な作成条件として生成する。この他、利用者は、コード情報に基づいて作成された作成条件の項目を入力部１１８を介して変更してもよい。この場合、作成条件生成部１０２ｂは、コード情報に基づいて作成された作成条件に対して、更に利用者により入力部１１８を介して変更された項目について修正した上で、最終的な作成条件として生成する。
【００５８】
そして、端末装置１００の条件送信部１０２ｃは、ステップＳＡ−１にてコード情報抽出部１０２ａの処理により抽出されたコード情報に基づく昇降機の作成条件をサーバ装置２００へ送信する（ステップＳＡ−３）。つまり、ステップＳＡ−３において、条件送信部１０２ｃは、ステップＳＡ−１にてコード情報抽出部１０２ａの処理により抽出されたコード情報に基づいて、ステップＳＡ−２にて作成条件生成部１０２ｂの処理により生成された昇降機の作成条件をサーバ装置２００へ送信する。
【００５９】
そして、サーバ装置２００の条件受信部２０２ａは、ステップＳＡ−３にて条件送信部１０２ｃの処理により送信される作成条件を受信する（ステップＳＡ−４）。
【００６０】
そして、サーバ装置２００の昇降機モデリング部２０２ｂは、ステップＳＡ−４にて条件受信部２０２ａの処理により受信された作成条件に対応する昇降機のＢＩＭパーツを、パーツ情報データベース２０６ａに記憶されたパーツ情報を用いて作成する（ステップＳＡ−５）。例えば、ステップＳＡ−５において、昇降機モデリング部２０２ｂは、図９に示すようなエレベータの３次元のＢＩＭパーツを作成する。ここで、図９は、昇降機のＢＩＭパーツの一例を示す図である。図９の左側は、昇降路、乗りかご、ガイドレール等のユニットから構成されるＢＩＭパーツであり、図９の右側は、乗り場ホーム関連品の一例として、乗降口のドアのユニット等から構成されるＢＩＭパーツである。ここで、昇降機モデリング部２０２ｂは、利用者が選択可能なように、作成条件を満たす複数の昇降機のＢＩＭパーツを作成してもよい。
【００６１】
なお、本実施形態において、ステップＳＡ−５の処理の後、サーバ装置２００のパース図作成部２０２ｄは、昇降機モデリング部２０２ｂにより作成された昇降機のパース図を、作成されたＢＩＭパーツに含まれるパーツ情報（例えば、ＢＩＭパーツを構成する各ユニットのサイズ、色、材質等を示す情報）に基づいて作成してもよい。また、見積り計算部２０２ｅは、昇降機モデリング部２０２ｂの処理により作成されたＢＩＭパーツに含まれるパーツ情報（例えば、昇降機を構成する部材の価格を示す情報）に基づいて、当該ＢＩＭパーツに対応する昇降機の見積り情報を計算してもよい。
【００６２】
そして、サーバ装置２００の情報提供部２０２ｃは、ステップＳＡ−６にて昇降機モデリング部２０２ｂの処理により作成された昇降機のＢＩＭパーツ等を含むサーバ装置２００の計算結果を端末装置１００へ送信する（ステップＳＡ−６）。ステップＳＡ−６において、情報提供部２０２ｃは、複数のＢＩＭパーツを含む計算結果を端末装置１００へ送信してもよい。また、情報提供部２０２ｃは、パース図作成部２０２ｄの処理により昇降機のパース図が作成された場合は、当該昇降機のパース図を含む計算結果を端末装置１００へ送信してもよい。また、情報提供部２０２ｃは、見積り計算部２０２ｅの処理により昇降機の見積り情報が計算された場合は、当該昇降機の見積り情報を含む計算結果を端末装置１００へ送信してもよい。
【００６３】
そして、端末装置１００の情報取得部１０２ｄは、ステップＳＡ−６にて情報提供部２０２ｃの処理により送信される作成条件に対応するＢＩＭパーツを含む計算結果を受信する（ステップＳＡ−７）。ステップＳＡ−７において、情報取得部１０２ｄは、複数のＢＩＭパーツを含む計算結果をサーバ装置２００から受信してもよい。また、情報取得部１０２ｄは、情報提供部２０２ｃの処理により昇降機のパース図を含む計算結果が送信された場合は、当該昇降機のパース図を含む計算結果をサーバ装置２００から受信してもよい。また、情報取得部１０２ｄは、情報提供部２０２ｃの処理により昇降機の見積り情報を含む計算結果が送信された場合は、当該昇降機の見積り情報を含む計算結果をサーバ装置２００から受信してもよい。
【００６４】
そして、端末装置１００の画面生成部１０２ｆは、ステップＳＡ−７にて情報取得部１０２ｄの処理により受信されたＢＩＭパーツを少なくとも含むレイアウト画面を生成する（ステップＳＡ−８）。ステップＳＡ−８において、画面生成部１０２ｆは、ステップＳＡ−７にて情報取得部１０２ｄにより、ＢＩＭパーツに対応する昇降機のパース図および見積り情報のうち少なくとも一つが受信された場合、当該昇降機のパース図および見積り情報のうち少なくとも一つを更に含むレイアウト画面を生成してもよい。
【００６５】
なお、本実施形態において、ステップＳＡ−８の処理の前に、端末装置１００の統合モデリング部１０２ｅは、ステップＳＡ−７にて情報取得部１０２ｄの処理により受信されたＢＩＭパーツを、ＢＩＭモデルデータベース１０６ａに記憶されたＢＩＭモデル内の設置予定領域に設置した統合ＢＩＭモデルを作成してもよい。この場合、ステップＳＡ−８において、画面生成部１０２ｆは、例えば、図１０に示すように、統合モデリング部１０２ｅの処理により作成された統合ＢＩＭモデルを含むレイアウト画面を生成してもよい。ここで、図１０は、レイアウト画面の一例を示す図である。図１０には、建築物の完成時におけるエレベータの設置状態を示す統合ＢＩＭモデルの一部が示されている。
【００６６】
そして、端末装置１００の画面表示部１０２ｇは、ステップＳＡ−８にて画面生成部１０２ｆの処理により生成されたレイアウト画面を表示部１１４に表示させる（ステップＳＡ−９）。
【００６７】
なお、本実施形態において、端末装置１００の変更部１０２ｈは、ステップＳＡ−９の処理の後、画面表示部１０２ｇの処理により表示されたレイアウト画面上でＢＩＭパーツを変更してもよい。この場合、変更部１０２ｈは、利用者により入力される変更条件に応じてＢＩＭパーツに含まれるパーツ情報の設定パラメータを変更することで、当該ＢＩＭパーツを変更する。設定パラメータは、ＢＩＭパーツを構成する各ユニットのサイズ、色、材質等を規定するパラメータを含む。
【００６８】
また、本実施形態において、端末装置１００のコード読取回数カウント部１０２ｉは、ステップＳＡ−１にてコード情報抽出部１０２ａの処理により昇降機のカタログ１０上に表示されたコード２０を読取部１１２を制御して読み取った際に、コード２０の読取回数をカウントしてもよい。この場合、コード読取回数カウント部１０２ｉは、読み取ったコードの読取回数の他、読み取ったコード２０の種類も取得する。そして、制御部１０２は、コード読取回数カウント部１０２ｉの処理によりカウントされたコードの読取回数、および、取得されたコードの種類を、サーバ装置２００へ送信する。そして、サーバ装置２００の集計部２０２ｆは、端末装置１００において、昇降機のカタログ１０上に表示されたコード２０を読取部１１２を制御して読み取った際に取得されるコードの読取回数を、端末装置１００から受信して、コードの種類ごとに集計する。
【００６９】
以上で、第１の実施形態におけるＢＩＭシステムの処理の一例の説明を終える。
【００７０】
このように、第１の実施形態のＢＩＭシステムにおいて、端末装置１００は、昇降機のカタログ１０上に表示されたコード２０を、読取部１１２を制御して読み取り、当該コードに対応するコード情報を抽出し、抽出されたコード情報に基づく昇降機の作成条件をサーバ装置２００へ送信する。そして、サーバ装置２００は、端末装置１００から送信される作成条件に対応するＢＩＭパーツを、パーツ情報データベース２０６ａに記憶されたパーツ情報を用いて作成し、作成されたＢＩＭパーツを端末装置１００へ送信する。そして、端末装置１００は、サーバ装置２００から送信される作成条件に対応するＢＩＭパーツを受信し、受信されたＢＩＭパーツを少なくとも含むレイアウト画面を生成し、生成されたレイアウト画面を表示部１１４に表示させる。これにより、本実施形態のＢＩＭシステムによれば、昇降機のカタログ１０に記載された所望の昇降機に対応するＢＩＭパーツを容易かつ迅速に作成することができる。よって、昇降機の設備計画を提案する際、建築物のＢＩＭモデルを用いて、昇降機を視覚的に分かりやすく表示しながら、効率的に昇降機の設備計画を検討することが可能となる。
【００７１】
また、本実施形態のＢＩＭシステムでは、抽出されたコード情報に基づいて昇降機の作成条件を生成し、生成された作成条件に対応するＢＩＭパーツを、パーツ情報データベース２０６ａに記憶されたパーツ情報を用いて作成する。具体的には、本実施形態のＢＩＭシステムでは、昇降機を指定する昇降機指定コード情報が抽出された場合は、当該昇降機指定コード情報が指定する昇降機を作成する作成条件を生成する。また、本実施形態のＢＩＭシステムでは、昇降機を構成する部材を指定する部材指定コード情報が複数抽出された場合は、当該部材指定コード情報が指定する部材の組合せにより構成される昇降機を作成する作成条件を生成する。これにより、本実施形態のＢＩＭシステムによれば、昇降機のカタログ１０上に表示された利用者の希望に合う昇降機の仕様に対応するＢＩＭパーツを柔軟に作成することができる。
【００７２】
また、本実施形態のＢＩＭシステムでは、建築物のＢＩＭモデル内の昇降機の設置予定領域に設置可能なように、作成条件を生成する。また、本実施形態のＢＩＭシステムでは、抽出されたコード情報および利用者により入力部１１８を介して入力される詳細条件に基づいて作成条件を生成する。これにより、本実施形態のＢＩＭシステムによれば、例えば、昇降機のカタログ１０上に利用者の希望に合う仕様が記載されていない場合であっても、建築物のＢＩＭモデル内に設置可能であれば、詳細条件を入力することで、利用者の希望に合う昇降機の仕様に対応するＢＩＭパーツをより柔軟に作成することができる。
【００７３】
また、本実施形態のＢＩＭシステムでは、作成されたＢＩＭパーツを、ＢＩＭモデルデータベース１０６ａに記憶されたＢＩＭモデル内の設置予定領域に設置した統合ＢＩＭモデルを作成し、作成された統合ＢＩＭモデルを含むレイアウト画面を生成する。これにより、本実施形態のＢＩＭシステムによれば、昇降機の設備計画を提案する際、建築物に昇降機を組み込んだ状態を視覚的に分かりやすく表示することができる。
【００７４】
また、本実施形態のＢＩＭシステムでは、作成されたＢＩＭパーツに対応する昇降機のパース図および見積り情報のうち少なくとも一つを更に含むレイアウト画面を生成する。これにより、本実施形態のＢＩＭシステムによれば、昇降機の設備計画を提案する際、昇降機が導入された際のイメージを示すパース図や、導入の際に発生する費用を示す見積り情報を、対象の昇降機のＢＩＭパーツとともに分かりやすく表示することができる。
【００７５】
また、本実施形態のＢＩＭシステムでは、読取部１１２を制御して読み取ったコードの読取回数を種類ごとに集計するので、集計データを市場調査に活用することができる。
【００７６】
［第２の実施形態］
続いて、第２の実施形態について、図１１および図１２を参照して以下に説明する。ここで、図１１は、第２の実施形態におけるＢＩＭシステムの構成の一例を示すブロック図であり、該構成のうち本実施形態に関係する部分を概念的に示している。
【００７７】
なお、第２の実施形態においては、サーバ装置２００側でコード情報に基づいて作成条件を作成し、当該作成条件に対応するＢＩＭパーツを含むレイアウト画面を端末装置１００へ送信して、当該端末装置１００の表示部１１４に表示させるように制御している。このように、第２の実施形態は、サーバ装置２００にてサーバ主導で処理を行う点が、その他の実施形態と異なる。
【００７８】
［第２の形態におけるＢＩＭシステムの構成］
まず、第２の実施形態におけるＢＩＭシステムの構成の一例について、図１１を参照して以下に説明する。
【００７９】
図１１に示すように、第２の実施形態のサーバ装置２００は、読取部１１２と出力部（表示部１１４および音声出力部１１６）と入力部１１８と制御部１０２とを少なくとも備えた端末装置１００に通信可能に接続され、制御部２０２と記憶部２０６とを少なくとも備える。通信には、一例として、ネットワーク３００を介した有線・無線通信等の遠隔通信等を含む。また、これらサーバ装置２００および端末装置１００の各部は任意の通信路を介して通信可能に接続されている。
【００８０】
図１１において、サーバ装置２００は、端末装置１００から送信されるコード情報に基づいたＢＩＭパーツを、パーツ情報データベース２０６ａに記憶されたパーツ情報を用いて作成し、作成されたＢＩＭパーツを少なくとも含むレイアウト画面を生成し、生成されたレイアウト画面を端末装置１００へ送信し、当該レイアウト画面を端末装置１００の表示部１１４に表示させるように制御する等の機能を有する。
【００８１】
なお、サーバ装置２００における通信制御インターフェース部２０４および記憶部２０６（パーツ情報データベース２０６ａ、および、ＢＩＭモデルデータベース２０６ｂ等）の機能、また、端末装置１００における読取部１１２、表示部１１４、音声出力部１１６、および、入力部１１８の機能は、第１の実施形態と同様であるため説明を省略する。
【００８２】
また、図１１において、制御部２０２は、ＯＳ等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、条件受信部２０２ａ、昇降機モデリング部２０２ｂ、パース図作成部２０２ｄ、見積り計算部２０２ｅ、集計部２０２ｆ、作成条件生成部２０２ｇ、統合モデリング部２０２ｈ、画面生成部２０２ｉ、および、画面表示制御部２０２ｊを備える。
【００８３】
このうち、条件受信部２０２ａは、端末装置１００から送信されるコード情報を受信する条件受信手段である。本実施形態において、コード情報は、端末装置１００において、昇降機のカタログ１０上に表示されたコード２０を、読取部１１２を制御して読み取り、当該コード２０に対応するコード情報として抽出されたものである。なお、条件受信部２０２ａは、端末装置１００から送信される昇降機の作成条件を受信してもよい。
【００８４】
また、昇降機モデリング部２０２ｂは、条件受信部２０２ａにより受信されたコード情報に基づいた昇降機のＢＩＭパーツを、パーツ情報データベース２０６ａに記憶されたパーツ情報を用いて作成する昇降機モデリング手段である。具体的には、昇降機モデリング２０２ｂは、条件受信部２０２ａにより受信されたコード情報に基づいて作成条件生成部２０２ｇにより生成された作成条件に対応するＢＩＭパーツを、パーツ情報データベース２０６ａに記憶されたパーツ情報を用いて作成する。ここで、昇降機モデリング部２０２ｂは、作成条件に合致する範囲内でＢＩＭパーツを複数作成してもよい。また、昇降機モデリング部２０２ｂは、作成した昇降機のＢＩＭパーツを記憶部２０６に格納して、ＢＩＭパーツデータベース（図示せず）を構築してもよい。なお、昇降機モデリング部２０２ｂは、条件受信部２０２ａにより昇降機の作成条件が受信された場合、当該作成条件に対応するＢＩＭパーツを、パーツ情報データベース２０６ａに記憶されたパーツ情報を用いて作成してもよい。
【００８５】
また、パース図作成部２０２ｄは、昇降機モデリング部２０２ｂにより作成された昇降機のパース図を、作成されたＢＩＭパーツに含まれるパーツ情報（例えば、ＢＩＭパーツを構成する各ユニットのサイズ、色、材質等を示す情報）に基づいて作成するパース図作成手段である。
【００８６】
また、見積り計算部２０２ｅは、昇降機モデリング部２０２ｂにより作成されたＢＩＭパーツに含まれるパーツ情報（例えば、昇降機を構成する部材の価格を示す情報）に基づいて、当該ＢＩＭパーツに対応する昇降機の見積り情報を計算する見積り計算手段である。
【００８７】
また、集計部２０２ｆは、端末装置１００において、昇降機のカタログ１０上に表示されたコード２０を読取部１１２を制御して読み取った際に取得されるコードの読取回数を、端末装置１００から受信して、コードの種類ごとに集計する集計手段である。
【００８８】
また、作成条件生成部２０２ｇは、条件受信部２０２ａにより受信されたコード情報に基づいて、昇降機の作成条件を生成する作成条件生成手段である。ここで、作成条件生成部２０２ｇは、条件受信部２０２ａにより昇降機指定コード情報が受信された場合は、当該昇降機指定コード情報が指定する昇降機を作成する作成条件を生成する。また、作成条件生成部２０２ｇは、条件受信部２０２ａにより部材指定コード情報が複数抽出された場合は、当該部材指定コード情報が指定する部材の組合せにより構成される昇降機を作成する作成条件を生成する。なお、本実施形態において、作成条件生成部２０２ｇは、ＢＩＭモデル内の昇降機の設置予定領域に設置可能なように、作成条件を生成するものとする。また、作成条件生成部２０２ｇは、条件受信部２０２ａにより受信されたコード情報、および、端末装置１００において利用者により入力部１１８を介して入力されてサーバ装置２００へ送信される詳細条件に基づいて、作成条件を生成してもよい。
【００８９】
また、統合モデリング部２０２ｈは、昇降機モデリング部２０２ｂにより作成されたＢＩＭパーツを、ＢＩＭモデルデータベース２０６ｂに記憶されたＢＩＭモデル内の設置予定領域に設置した統合ＢＩＭモデルを作成する統合モデリング手段である。ここで、統合モデリング部２０２ｈは、作成した統合ＢＩＭモデルを記憶部２０６に格納して、統合ＢＩＭモデルデータベース（図示せず）を構築してもよい。
【００９０】
また、画面生成部２０２ｉは、昇降機モデリング部２０２ｂにより作成されたＢＩＭパーツを少なくとも含むレイアウト画面を生成する画面生成手段である。ここで、画面生成部２０２ｉは、統合モデリング部２０２ｈにより作成された統合ＢＩＭモデルを含むレイアウト画面を生成してもよい。また、画面生成部２０２ｉは、昇降機モデリング部２０２ｂにより作成されたＢＩＭパーツに対応する昇降機のパース図および見積り情報のうち少なくとも一つを更に含むレイアウト画面を生成してもよい。
【００９１】
また、画面表示制御部２０２ｊは、画面生成部２０２ｉにより生成されたレイアウト画面を端末装置１００へ送信し、当該レイアウト画面を端末装置１００の表示部１１４に表示させるように制御する画面表示制御手段である。
【００９２】
なお、図１１において、端末装置１００の制御部１０２は、図示しないが第１の実施形態と同様に、コード情報抽出手段と、変更手段、コード読取回数カウント手段を備えている。これらの各手段の機能は、第１の実施形態と同様であるため説明を省略する。
【００９３】
以上で、第２の実施形態におけるＢＩＭシステムの構成の一例の説明を終える。
【００９４】
［第２の実施形態におけるＢＩＭシステムの処理］
次に、このように構成された第２の実施形態におけるＢＩＭシステムの処理の一例について、以下に図１２を参照して詳細に説明する。図１２は、第２の実施形態におけるＢＩＭシステムの処理の一例を示すフローチャートである。
【００９５】
図１２に示すように、端末装置１００の制御部１０２は、昇降機のカタログ１０上に表示されたコード２０を、読取部１１２を制御して読み取り、当該コード２０に対応するコード情報を抽出する（ステップＳＢ−１）。コード情報は、昇降機を指定する昇降機指定コード情報、および、昇降機を構成する部材を指定する部材指定コード情報を含む。
【００９６】
そして、端末装置１００の制御部１０２は、ステップＳＢ−１にて制御部１０２の処理により抽出されたコード情報をサーバ装置２００へ送信する（ステップＳＢ−２）。
【００９７】
そして、サーバ装置２００の条件受信部２０２ａは、ステップＳＢ−２にて制御部１０２の処理により端末装置１００から送信されたコード情報を受信する（ステップＳＢ−３）。
【００９８】
そして、サーバ装置２００の作成条件生成部１０２ｂは、ステップＳＢ−３にて条件受信部２０２ａの処理により受信されたコード情報に基づいて、昇降機の作成条件を生成する（ステップＳＢ−４）。
【００９９】
ここで、ステップＳＢ−４において、作成条件生成部２０２ｇは、条件受信部２０２ａの処理により昇降機指定コード情報（例えば、図４および図５に示したコード２０−１〜３にそれぞれ対応する昇降機指定コード情報）が受信された場合は、当該昇降機指定コード情報が指定する昇降機を作成する作成条件を生成する。また、ステップＳＢ−４において、作成条件生成部２０２ｇは、条件受信部２０２ａの処理により部材指定コード情報（例えば、図６〜図８に示したコード２０−４〜３７にそれぞれ対応する部材指定コード情報）が複数抽出された場合は、当該部材指定コード情報が指定する部材の組合せにより構成される昇降機を作成する作成条件を生成する。
【０１００】
なお、本実施形態において、作成条件生成部２０２ｇは、ＢＩＭモデル内の昇降機の設置予定領域に設置可能なように、作成条件を生成するものとする。つまり、作成条件生成部２０２ｇは、ＢＩＭモデルに含まれる属性情報（建築情報、構造情報等）に基づいて、作成条件にしたがって作成されるＢＩＭパーツが昇降機の設置予定領域に設置可能か否かを判定する。そして、作成条件生成部２０２ｇは、設置不可能であると判定した場合は、作成条件が指定する部材のサイズ等を変更することにより、作成条件にしたがって作成されるＢＩＭパーツがＢＩＭモデル内の昇降機の設置予定領域に設置可能なように調整する。
【０１０１】
また、ステップＳＢ−４において、作成条件生成部２０２ｇは、ステップＳＢ−３にて条件受信部２０２ａの処理により受信されたコード情報、および、端末装置１００において利用者により入力部１１８を介して入力されてサーバ装置２００へ送信される詳細条件に基づいて、作成条件を生成してもよい。例えば、利用者は、図４〜図８で示したコード２０−１〜３７から抽出されたコード情報では指定しきれない、オプションの有償付加仕様等を入力部１１８を介して詳細条件として入力する。この場合、作成条件生成部２０２ｇは、コード情報に基づいて作成された作成条件に対して、更に利用者により入力部１１８を介して入力された詳細条件を加えて、最終的な作成条件として生成する。この他、利用者は、コード情報に基づいて作成された作成条件の項目を入力部１１８を介して変更してもよい。この場合、作成条件生成部２０２ｇは、コード情報に基づいて作成された作成条件に対して、更に利用者により入力部１１８を介して変更された項目について修正した上で、最終的な作成条件として生成する。
【０１０２】
そして、サーバ装置２００の昇降機モデリング部２０２ｂは、ステップＳＢ−３にて条件受信部２０２ａの処理により受信されたコード情報に基づいた昇降機のＢＩＭパーツを、パーツ情報データベース２０６ａに記憶されたパーツ情報を用いて作成する（ステップＳＢ−５）。具体的には、昇降機モデリング２０２ｂは、ステップＳＢ−３にて条件受信部２０２ａの処理により受信されたコード情報に基づいて、ステップＳＢ−４にて作成条件生成部２０２ｇの処理により生成された作成条件に対応するＢＩＭパーツを、パーツ情報データベース２０６ａに記憶されたパーツ情報を用いて作成する。例えば、ステップＳＢ−５において、昇降機モデリング部２０２ｂは、図９に示すようなエレベータの３次元のＢＩＭパーツを作成する。ここで、昇降機モデリング部２０２ｂは、利用者が選択可能なように、作成条件を満たす複数の昇降機のＢＩＭパーツを作成してもよい。
【０１０３】
なお、本実施形態において、ステップＳＢ−５の処理の後、サーバ装置２００のパース図作成部２０２ｄは、昇降機モデリング部２０２ｂにより作成された昇降機のパース図を、作成されたＢＩＭパーツに含まれるパーツ情報（例えば、ＢＩＭパーツを構成する各ユニットのサイズ、色、材質等を示す情報）に基づいて作成してもよい。また、見積り計算部２０２ｅは、昇降機モデリング部２０２ｂの処理により作成されたＢＩＭパーツに含まれるパーツ情報（例えば、昇降機を構成する部材の価格を示す情報）に基づいて、当該ＢＩＭパーツに対応する昇降機の見積り情報を計算してもよい。
【０１０４】
そして、サーバ装置２００の画面生成部２０２ｉは、ステップＳＢ−５にて昇降機モデリング部２０２ｂの処理により作成されたＢＩＭパーツを少なくとも含むレイアウト画面を生成する（ステップＳＢ−６）。ステップＳＢ−６において、画面生成部２０２ｉは、ＢＩＭパーツに対応する昇降機のパース図および見積り情報のうち少なくとも一つが作成された場合は、当該昇降機のパース図および見積り情報のうち少なくとも一つを更に含むレイアウト画面を生成してもよい。
【０１０５】
なお、本実施形態において、ステップＳＢ−６の処理の前に、サーバ装置２００の統合モデリング部２０２ｈは、ステップＳＢ−５にて昇降機モデリング部２０２ｂの処理により作成されたＢＩＭパーツを、ＢＩＭモデルデータベース２０６ｂに記憶されたＢＩＭモデル内の設置予定領域に設置した統合ＢＩＭモデルを作成してもよい。この場合、ステップＳＢ−６において、画面生成部２０２ｉは、例えば、図１０に示すように、統合モデリング部２０２ｈの処理により作成された統合ＢＩＭモデルを含むレイアウト画面を生成してもよい。
【０１０６】
そして、画面表示制御部２０２ｊは、ステップＳＢ−５にて画面生成部２０２ｉの処理により生成されたレイアウト画面を端末装置１００へ送信し（ステップＳＢ−７）、当該レイアウト画面を端末装置１００の表示部１１４に表示させるように制御する（ステップＳＢ−８）。
【０１０７】
なお、本実施形態において、端末装置１００の制御部１０２は、ステップＳＢ−８の処理の後、画面表示制御部２０２ｊの処理により表示されたレイアウト画面上でＢＩＭパーツを変更してもよい。この場合、制御部１０２は、利用者により入力される変更条件に応じてＢＩＭパーツに含まれるパーツ情報の設定パラメータを変更することで、当該ＢＩＭパーツを変更する。設定パラメータは、ＢＩＭパーツを構成する各ユニットのサイズ、色、材質等を規定するパラメータを含む。
【０１０８】
また、本実施形態において、端末装置１００の制御部１０２は、ステップＳＢ−１にて昇降機のカタログ１０上に表示されたコード２０を読取部１１２を制御して読み取った際に、コード２０の読取回数をカウントしてもよい。この場合、制御部１０２は、読み取ったコードの読取回数の他、読み取ったコード２０の種類も取得する。そして、制御部１０２は、カウントされたコードの読取回数、および、取得されたコードの種類を、サーバ装置２００へ送信する。そして、サーバ装置２００の集計部２０２ｆは、端末装置１００において、昇降機のカタログ１０上に表示されたコード２０を読取部１１２を制御して読み取った際に取得されるコードの読取回数を、端末装置１００から受信して、コードの種類ごとに集計する。
【０１０９】
以上で、第２の実施形態におけるＢＩＭシステムの処理の一例の説明を終える。
【０１１０】
なお、第２の実施形態のＢＩＭシステムにおいても、第１の実施形態と同様の効果を有する。
【０１１１】
［第３の実施形態］
続いて、第３の実施形態について、図１３および図１４を参照して以下に説明する。ここで、図１３は、第３の実施形態におけるＢＩＭシステムの構成の一例を示すブロック図であり、該構成のうち本実施形態に関係する部分を概念的に示している。ここで、第３の実施形態におけるＢＩＭシステムは、スタンドアロン型に構成され単独で処理を行うＢＩＭ装置４００により実現される。
【０１１２】
なお、第３の実施形態においては、全ての機能をＢＩＭ装置４００に集約し、当該ＢＩＭ装置４００は、昇降機のカタログ１０上に表示されたコード２０を、読取部４１２を制御して読み取り、当該コード２０に対応するコード情報を抽出し、抽出されたコード情報に基づいたＢＩＭパーツを、記憶部４０６に記憶されたＢＩＭパーツを作成するためのパーツ情報を用いて作成し、作成されたＢＩＭパーツを少なくとも含むレイアウト画面を生成し、生成されたレイアウト画面を表示部４１４に表示させる等の機能を有する。このように、第３の実施形態は、ＢＩＭ装置４００がスタンドアロン型に構成され単独で処理を行う点がその他の実施形態と異なる。
【０１１３】
［第３の実施形態におけるＢＩＭシステムの構成］
まず、第３の実施形態におけるＢＩＭシステムの構成の一例について、図１３を参照して以下に説明する。
【０１１４】
図１３に示すように、第３の実施形態のＢＩＭ装置４００は、読取部４１２と出力部（表示部４１４および音声出力部４１６）と入力部４１８と制御部４０２と記憶部４０６とを少なくとも備える。これらＢＩＭ装置４００の各部は任意の通信路を介して通信可能に接続されてもよい。ＢＩＭ装置４００は、例えば、ＰＮＤ（Ｐｏｒｔａｂｌｅ  Ｎａｖｉｇａｔｉｏｎ  Ｄｅｖｉｃｅ）等の各種情報処理端末、ノート型のパーソナルコンピュータ等の各種情報処理装置、または、携帯電話やＰＨＳやＰＤＡ等の携帯端末装置等であってもよい。また、ＢＩＭ装置４００は、通信制御インターフェース部（図示せず）を介してネットワーク３００を経由し、外部装置と相互に通信可能に接続されていてもよい。
【０１１５】
図１３において、入出力制御インターフェース部４０８、読取部４１２、表示部４１４、音声出力部４１６、および、入力部４１８の各機能は、第１の実施形態と同様であるため説明を省略する。また、記憶部４０６の各部（パーツ情報データベース４０６ａ、および、ＢＩＭモデルデータベース４０６ｂ等）についても、サーバ装置２００ではなくＢＩＭ装置４００に備えられている点を除き、各機能が第１の実施形態と同様であるため説明を省略する。
【０１１６】
また、制御部４０２の各部については、本実施形態のＢＩＭ装置４００がスタンドアロン型であり、制御部４０２が各送信部を備えていない点を除き、各機能は第１の実施形態と基本的に同様である。
【０１１７】
また、図１３において、制御部４０２は、ＯＳ等の制御プログラムや、各種の処理手順等を規定したプログラム、および、所要データを格納するための内部メモリを有する。そして、制御部４０２は、これらのプログラム等により、種々の処理を実行するための情報処理を行う。制御部４０２は、機能概念的に、コード情報抽出部４０２ａ、作成条件生成部４０２ｂ、昇降機モデリング部４０２ｃ、パース図作成部４０２ｄ、見積り計算部４０２ｅ、統合モデリング部４０２ｆ、画面生成部４０２ｇ、画面表示部４０２ｈ、変更部４０２ｉ、および、集計部４０２ｊを備える。
【０１１８】
このうち、コード情報抽出部４０２ａは、昇降機のカタログ１０上に表示されたコード２０を、読取部４１２を制御して読み取り、当該コード２０に対応するコード情報を抽出するコード情報抽出手段である。コード情報は、昇降機を指定する昇降機指定コード情報、および、昇降機を構成する部材を指定する部材指定コード情報を含む。
【０１１９】
また、作成条件生成部４０２ｂは、コード情報抽出部４０２ａにより抽出されたコード情報に基づいて、昇降機の作成条件を生成する作成条件生成手段である。ここで、作成条件生成部４０２ｂは、コード情報抽出部４０２ａにより昇降機指定コード情報が抽出された場合は、当該昇降機指定コード情報が指定する昇降機を作成する作成条件を生成する。また、作成条件生成部４０２ｂは、コード情報抽出部４０２ａにより部材指定コード情報が複数抽出された場合は、当該部材指定コード情報が指定する部材の組合せにより構成される昇降機を作成する作成条件を生成する。なお、本実施形態において、作成条件生成部４０２ｂは、ＢＩＭモデル内の昇降機の設置予定領域に設置可能なように、作成条件を生成するものとする。また、作成条件生成部４０２ｂは、コード情報抽出部４０２ａにより抽出されたコード情報、および、利用者により入力部４１８を介して入力される詳細条件に基づいて、作成条件を生成してもよい。
【０１２０】
また、昇降機モデリング部４０２ｃは、コード情報抽出部４０２ａにより抽出されたコード情報に基づいた昇降機のＢＩＭパーツを、パーツ情報データベース４０６ａに記憶されたパーツ情報を用いて作成する昇降機モデリング手段である。具体的には、昇降機モデリング４０２ｃは、コード情報抽出部４０２ａにより抽出されたコード情報に基づいて作成条件生成部４０２ｂにより生成された作成条件に対応するＢＩＭパーツを、パーツ情報データベース４０６ａに記憶されたパーツ情報を用いて作成する。ここで、昇降機モデリング部４０２ｃは、作成条件に合致する範囲内でＢＩＭパーツを複数作成してもよい。また、昇降機モデリング部４０２ｃは、作成した昇降機のＢＩＭパーツを記憶部４０６に格納して、ＢＩＭパーツデータベース（図示せず）を構築してもよい。なお、昇降機モデリング部４０２ｃは、コード情報に基づいて生成された条件以外に、利用者により入力部４１８を介して昇降機の作成条件が入力された場合、当該作成条件に対応するＢＩＭパーツを、パーツ情報データベース４０６ａに記憶されたパーツ情報を用いて作成してもよい。
【０１２１】
また、パース図作成部４０２ｄは、昇降機モデリング部４０２ｃにより作成された昇降機のパース図を、作成されたＢＩＭパーツに含まれるパーツ情報（例えば、ＢＩＭパーツを構成する各ユニットのサイズ、色、材質等を示す情報）に基づいて作成するパース図作成手段である。
【０１２２】
また、見積り計算部４０２ｅは、昇降機モデリング部４０２ｃにより作成されたＢＩＭパーツに含まれるパーツ情報（例えば、昇降機を構成する部材の価格を示す情報）に基づいて、当該ＢＩＭパーツに対応する昇降機の見積り情報を計算する見積り計算手段である。
【０１２３】
また、統合モデリング部４０２ｆは、昇降機モデリング部４０２ｃにより作成されたＢＩＭパーツを、ＢＩＭモデルデータベース４０６ｂに記憶されたＢＩＭモデル内の設置予定領域に設置した統合ＢＩＭモデルを作成する統合モデリング手段である。ここで、統合モデリング部４０２ｆは、作成した統合ＢＩＭモデルを記憶部４０６に格納して、統合ＢＩＭモデルデータベース（図示せず）を構築してもよい。
【０１２４】
また、画面生成部４０２ｇは、昇降機モデリング部４０２ｃにより作成されたＢＩＭパーツを少なくとも含むレイアウト画面を生成する画面生成手段である。ここで、画面生成部４０２ｇは、統合モデリング部４０２ｆにより作成された統合ＢＩＭモデルを含むレイアウト画面を生成してもよい。また、画面生成部４０２ｇは、昇降機モデリング部４０２ｃにより作成されたＢＩＭパーツに対応する昇降機のパース図および見積り情報のうち少なくとも一つを更に含むレイアウト画面を生成してもよい。
【０１２５】
また、画面表示部４０２ｈは、画面生成部４０２ｇにより生成されたレイアウト画面を表示部４１４に表示させる画面表示手段である。
【０１２６】
また、変更部４０２ｉは、画面表示部４０２ｈにより表示されたレイアウト画面上でＢＩＭパーツを変更する変更手段である。具体的には、変更部４０２ｉは、利用者により入力される変更条件に応じてＢＩＭパーツに含まれるパーツ情報の設定パラメータを変更することで、当該ＢＩＭパーツを変更する。設定パラメータは、ＢＩＭパーツを構成する各ユニットのサイズ、色、材質等を規定するパラメータを含む。
【０１２７】
また、集計部４０２ｊは、昇降機のカタログ１０上に表示されたコード２０を読取部４１２を制御して読み取った際に取得されるコードの読取回数を、コードの種類ごとに集計する集計手段である。
【０１２８】
以上で、第３の実施形態におけるＢＩＭシステムの構成の一例の説明を終える。
【０１２９】
［第３の実施形態におけるＢＩＭシステムの処理］
次に、このように構成された第３の実施形態におけるＢＩＭシステムの処理の一例について、以下に図１４を参照して詳細に説明する。図１４は、第３の実施形態におけるＢＩＭシステムの処理の一例を示すフローチャートである。
【０１３０】
図１４に示すように、コード情報抽出部４０２ａは、昇降機のカタログ１０上に表示されたコード２０を、読取部４１２を制御して読み取り、当該コード２０に対応するコード情報を抽出する（ステップＳＣ−１）。コード情報は、昇降機を指定する昇降機指定コード情報、および、昇降機を構成する部材を指定する部材指定コード情報を含む。
【０１３１】
そして、作成条件生成部４０２ｂは、ステップＳＣ−１にてコード情報抽出部４０２ａの処理により抽出されたコード情報に基づいて、昇降機の作成条件を生成する（ステップＳＣ−２）。
【０１３２】
ここで、ステップＳＣ−２において、作成条件生成部４０２ｂは、ステップＳＣ−１にてコード情報抽出部４０２ａの処理により昇降機指定コード情報（例えば、図４および図５に示したコード２０−１〜３にそれぞれ対応する昇降機指定コード情報）が抽出された場合は、当該昇降機指定コード情報が指定する昇降機を作成する作成条件を生成する。また、ステップＳＣ−２において、作成条件生成部４０２ｂは、ステップＳＣ−１にてコード情報抽出部１０２ａの処理により部材指定コード情報（例えば、図６〜図８に示したコード２０−４〜３７にそれぞれ対応する部材指定コード情報）が複数抽出された場合は、当該部材指定コード情報が指定する部材の組合せにより構成される昇降機を作成する作成条件を生成する。
【０１３３】
なお、本実施形態において、作成条件生成部４０２ｂは、ＢＩＭモデル内の昇降機の設置予定領域に設置可能なように作成条件を生成するものとする。つまり、作成条件生成部４０２ｂは、ＢＩＭモデルに含まれる属性情報（建築情報、構造情報等）に基づいて、作成条件にしたがって作成されるＢＩＭパーツが昇降機の設置予定領域に設置可能か否かを判定する。そして、作成条件生成部４０２ｂは、設置不可能であると判定した場合は、作成条件が指定する部材のサイズ等を変更することにより、作成条件にしたがって作成されるＢＩＭパーツがＢＩＭモデル内の昇降機の設置予定領域に設置可能なように調整する。
【０１３４】
また、ステップＳＣ−２において、作成条件生成部４０２ｂは、ステップＳＣ−１にてコード情報抽出部４０２ａの処理により抽出されたコード情報、および、利用者により入力部４１８を介して入力される詳細条件に基づいて、作成条件を生成してもよい。例えば、利用者は、図４〜図８で示したコード２０−１〜３７から抽出されたコード情報では指定しきれない、オプションの有償付加仕様等を入力部４１８を介して詳細条件として入力する。この場合、作成条件生成部４０２ｂは、コード情報に基づいて作成された作成条件に対して、更に利用者により入力部４１８を介して入力された詳細条件を加えて、最終的な作成条件として生成する。この他、利用者は、コード情報に基づいて作成された作成条件の項目を入力部４１８を介して変更してもよい。この場合、作成条件生成部４０２ｂは、コード情報に基づいて作成された作成条件に対して、更に利用者により入力部４１８を介して変更された項目について修正した上で、最終的な作成条件として生成する。
【０１３５】
そして、昇降機モデリング部４０２ｃは、ステップＳＣ−１にてコード情報抽出部４０２ａの処理により受信されたコード情報に基づいた昇降機のＢＩＭパーツを、パーツ情報データベース４０６ａに記憶されたパーツ情報を用いて作成する（ステップＳＣ−３）。具体的には、昇降機モデリング４０２ｃは、ステップＳＣ−１にてコード情報抽出部４０２ａの処理により受信されたコード情報に基づいて、ステップＳＣ−２にて作成条件生成部４０２ｂの処理により生成された作成条件に対応するＢＩＭパーツを、パーツ情報データベース４０６ａに記憶されたパーツ情報を用いて作成する。例えば、ステップＳＣ−３において、昇降機モデリング部４０２ｃは、図９に示すようなエレベータの３次元のＢＩＭパーツを作成する。ここで、昇降機モデリング部４０２ｃは、利用者が選択可能なように、作成条件を満たす複数の昇降機のＢＩＭパーツを作成してもよい。
【０１３６】
なお、本実施形態において、ステップＳＣ−３の処理の後、パース図作成部４０２ｄは、昇降機モデリング部４０２ｃにより作成された昇降機のパース図を、作成されたＢＩＭパーツに含まれるパーツ情報（例えば、ＢＩＭパーツを構成する各ユニットのサイズ、色、材質等を示す情報）に基づいて作成してもよい。また、見積り計算部４０２ｅは、昇降機モデリング部４０２ｃの処理により作成されたＢＩＭパーツに含まれるパーツ情報（例えば、昇降機を構成する部材の価格を示す情報）に基づいて、当該ＢＩＭパーツに対応する昇降機の見積り情報を計算してもよい。
【０１３７】
そして、画面生成部４０２ｇは、ステップＳＣ−３にて昇降機モデリング部４０２ｃの処理により作成されたＢＩＭパーツを少なくとも含むレイアウト画面を生成する（ステップＳＣ−４）。ステップＳＣ−４において、画面生成部４０２ｇは、ＢＩＭパーツに対応する昇降機のパース図および見積り情報のうち少なくとも一つが作成された場合は、当該昇降機のパース図および見積り情報のうち少なくとも一つを更に含むレイアウト画面を生成してもよい。
【０１３８】
なお、本実施形態において、ステップＳＣ−４の処理の前に、統合モデリング部４０２ｆは、ステップＳＣ−３にて昇降機モデリング部４０２ｃの処理により作成されたＢＩＭパーツを、ＢＩＭモデルデータベース４０６ｂに記憶されたＢＩＭモデル内の設置予定領域に設置した統合ＢＩＭモデルを作成してもよい。この場合、ステップＳＣ−４において、画面生成部４０２ｇは、例えば、図１０に示すように、統合モデリング部４０２ｆの処理により作成された統合ＢＩＭモデルを含むレイアウト画面を生成してもよい。
【０１３９】
そして、画面表示部４０２ｈは、ステップＳＣ−４にて画面生成部４０２ｇの処理により生成されたレイアウト画面を表示部４１４に表示させる（ステップＳＣ−５）。
【０１４０】
なお、本実施形態において、変更部４０２ｉは、ステップＳＣ−５の処理の後、画面表示部４０２ｈの処理により表示されたレイアウト画面上でＢＩＭパーツを変更してもよい。この場合、変更部４０２ｉは、利用者により入力される変更条件に応じてＢＩＭパーツに含まれるパーツ情報の設定パラメータを変更することで、当該ＢＩＭパーツを変更する。設定パラメータは、ＢＩＭパーツを構成する各ユニットのサイズ、色、材質等を規定するパラメータを含む。
【０１４１】
また、本実施形態において、集計部４０２ｊは、ステップＳＣ−１にてコード情報抽出部４０２ａの処理により昇降機のカタログ１０上に表示されたコード２０を読取部４１２を制御して読み取った際に、コード２０の読取回数をカウントしてもよい。この場合、集計部４０２ｊは、読み取ったコードの読取回数の他、読み取ったコード２０の種類も取得する。そして、集計部４０２ｊは、昇降機のカタログ１０上に表示されたコード２０を読取部１１２を制御して読み取った際に取得されるコードの読取回数を、コードの種類ごとに集計する。
【０１４２】
以上で、第３の実施形態におけるＢＩＭシステムの処理の一例の説明を終える。
【０１４３】
なお、第３の実施形態のＢＩＭシステムにおいても、第１の実施形態と同様の効果を有する。
【０１４４】
［他の実施の形態］
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１４５】
例えば、上述の実施形態では、昇降機としてエレベータを例にして説明したが、エスカレータ、動く歩道等の乗客コンベアについても同様に本発明を適用できる。
【０１４６】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１４７】
この他、上記文献中や図面中で示した処理手順、制御手順、具体的名称、各処理の登録データや検索条件等のパラメータを含む情報、画面例、データベース構成については、特記する場合を除いて任意に変更することができる。
【０１４８】
また、端末装置１００、サーバ装置２００、および、ＢＩＭ装置４００に関して、図示の各構成要素は機能概念的なものであり、必ずしも物理的に図示の如く構成されていることを要しない。
【０１４９】
例えば、端末装置１００、サーバ装置２００、および、ＢＩＭ装置４００の各装置が備える処理機能、特に制御部１０２、制御部２０２、および、制御部４０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。なお、プログラムは、後述する記録媒体に記録されており、必要に応じて端末装置１００、サーバ装置２００、および、ＢＩＭ装置４００に機械的に読み取られる。すなわち、ＲＯＭまたはＨＤＤなどの記憶部１０６、記憶部２０６、および、記憶部４０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１５０】
また、このコンピュータプログラムは、端末装置１００、サーバ装置２００、および、ＢＩＭ装置４００に対して任意のネットワーク３００を介して接続されたアプリケーションプログラムサーバに記憶されていてもよく、必要に応じてその全部または一部をダウンロードすることも可能である。
【０１５１】
また、本発明に係るプログラムを、コンピュータで読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ  Ｄｉｓｃ等の任意の「可搬用の物理媒体」を含むものとする。
【０１５２】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１５３】
記憶部１０６、記憶部２０６、および、記憶部４０６に格納される各種のデータベース等（ＢＩＭモデルデータベース１０６ａ、パーツ情報データベース２０６ａ、ＢＩＭモデルデータベース２０６ｂ、パーツ情報データベース４０６ａ、および、ＢＩＭモデルデータベース４０６ｂ）は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【０１５４】
また、端末装置１００、サーバ装置２００、および、ＢＩＭ装置４００は、既知のパーソナルコンピュータ、ワークステーション等の情報処理装置として構成してもよく、また、該情報処理装置に任意の周辺装置を接続して構成してもよい。また、端末装置１００、サーバ装置２００、および、ＢＩＭ装置４００は、該情報処理装置に本発明の方法を実現させるソフトウェア（プログラム、データ等を含む）を実装することにより実現してもよい。
【０１５５】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【０１５６】
以上で説明した実施形態、変形例に係るＢＩＭシステム、サーバ装置、端末装置、方法およびプログラムによれば、その結果、昇降機の設備計画を提案する際、昇降機を視覚的に分かりやすく表示することができる。
【０１５７】
［付記］
実施形態のＢＩＭシステムは、制御部と記憶部とを少なくとも備えたサーバ装置、および、読取部と制御部と表示部とを少なくとも備えた端末装置、を通信可能に接続したＢＩＭシステムであって、前記サーバ装置の前記記憶部は、昇降機のＢＩＭパーツを作成するためのパーツ情報を記憶するパーツ情報記憶手段、を備え、前記サーバ装置の前記制御部は、前記端末装置から送信される前記昇降機の作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを前記端末装置へ送信する情報提供手段と、を備え、前記端末装置の前記制御部は、前記昇降機のカタログ上に表示されたコードを、前記読取部を制御して読み取り、当該コードに対応するコード情報を抽出するコード情報抽出手段と、前記コード情報抽出手段により抽出された前記コード情報に基づく前記昇降機の作成条件を前記サーバ装置へ送信する条件送信手段と、前記サーバ装置から送信される前記作成条件に対応する前記ＢＩＭパーツを受信する情報取得手段と、前記情報取得手段により受信された前記ＢＩＭパーツを少なくとも含むレイアウト画面を生成する画面生成手段と、前記画面生成手段により生成された前記レイアウト画面を前記表示部に表示させる画面表示手段と、を備えたことを特徴とする。
【０１５８】
実施形態のサーバ装置は、読取部と表示部とを少なくとも備えた端末装置に通信可能に接続された、制御部と記憶部とを少なくとも備えたサーバ装置であって、前記記憶部は、昇降機のＢＩＭパーツを作成するためのパーツ情報を記憶するパーツ情報記憶手段、を備え、前記制御部は、前記端末装置から送信される前記昇降機の作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを前記端末装置へ送信する情報提供手段と、を備え、前記端末装置において、前記作成条件に対応する前記ＢＩＭパーツを少なくとも含むように生成された前記レイアウト画面が前記表示部に表示され、前記作成条件は、前記端末装置において、前記昇降機のカタログ上に表示されたコードを、前記読取部を制御して読み取り、当該コードに対応するコード情報を抽出し、抽出された前記コード情報に基づいて生成された条件であることを特徴とする。
【０１５９】
実施形態の端末装置は、サーバ装置に通信可能に接続された、読取部と制御部と表示部とを少なくとも備えた端末装置であって、前記制御部は、昇降機のカタログ上に表示されたコードを、前記読取部を制御して読み取り、当該コードに対応するコード情報を抽出するコード情報抽出手段と、前記コード情報抽出手段により抽出された前記コード情報に基づく前記昇降機の作成条件を前記サーバ装置へ送信する条件送信手段と、前記サーバ装置において前記昇降機のＢＩＭパーツを作成するためのパーツ情報を用いて作成された、前記作成条件に対応する前記ＢＩＭパーツを受信する情報取得手段と、前記情報取得手段により受信された前記ＢＩＭパーツを少なくとも含むレイアウト画面を生成する画面生成手段と、前記画面生成手段により生成された前記レイアウト画面を前記表示部に表示させる画面表示手段と、を備えたことを特徴とする。
【０１６０】
実施形態のＢＩＭシステムは、制御部と記憶部とを少なくとも備えたサーバ装置、および、読取部と制御部と表示部とを少なくとも備えた端末装置、を通信可能に接続したＢＩＭシステムであって、前記サーバ装置の前記記憶部は、昇降機のＢＩＭパーツを作成するためのパーツ情報を記憶するパーツ情報記憶手段、を備え、前記サーバ装置の前記制御部は、前記端末装置から送信されるコード情報に基づいた前記ＢＩＭパーツを、前記パーツ情報記憶手段に記憶された前記パーツ情報を用いて作成する昇降機モデリング手段と、前記昇降機モデリング手段により作成された前記ＢＩＭパーツを少なくとも含むレイアウト画面を生成する画面生成手段と、前記画面生成手段により生成された前記レイアウト画面を前記端末装置へ送信し、当該レイアウト画面を前記端末装置の前記表示部に表示させるように制御する画面表示制御手段と、を備え、前記端末装置の前記制御部は、前記昇降機のカタログ上に表示されたコードを、前記読取部を制御して読み取り、当該コードに対応する前記コード情報を抽出するコード情報抽出手段と、前記コード情報抽出手段により抽出された前記コード情報を前記サーバ装置へ送信する条件送信手段と、を備えたことを特徴とする。
【０１６１】
実施形態のサーバ装置は、読取部と表示部とを少なくとも備えた端末装置に通信可能に接続された、制御部と記憶部とを少なくとも備えたサーバ装置であって、前記記憶部は、昇降機のＢＩＭパーツを作成するためのパーツ情報を記憶するパーツ情報記憶手段、を備え、前記制御部は、前記端末装置から送信されるコード情報に基づいた前記ＢＩＭパーツを、前記パーツ情報記憶手段に記憶された前記パーツ情報を用いて作成する昇降機モデリング手段と、前記昇降機モデリング手段により作成された前記ＢＩＭパーツを少なくとも含むレイアウト画面を生成する画面生成手段と、前記画面生成手段により生成された前記レイアウト画面を前記端末装置へ送信し、当該レイアウト画面を前記端末装置の前記表示部に表示させるように制御する画面表示制御手段と、を備え、前記コード情報は、前記端末装置において、前記昇降機のカタログ上に表示されたコードを、前記読取部を制御して読み取り、当該コードに対応するコード情報として抽出されたものであることを特徴とする。
【０１６２】
実施形態の方法は、読取部と制御部と記憶部と表示部とを少なくとも備えたＢＩＭシステムにおいて実行される方法であって、前記記憶部は、昇降機のＢＩＭパーツを作成するためのパーツ情報を記憶するパーツ情報記憶手段、を備え、前記制御部において実行される、前記昇降機のカタログ上に表示されたコードを、前記読取部を制御して読み取り、当該コードに対応するコード情報を抽出するコード情報抽出ステップと、前記コード情報抽出ステップにて抽出された前記コード情報に基づいた前記ＢＩＭパーツを、前記パーツ情報記憶手段に記憶された前記パーツ情報を用いて作成する昇降機モデリングステップと、前記昇降機モデリングステップにて作成された前記ＢＩＭパーツを少なくとも含むレイアウト画面を生成する画面生成ステップと、前記画面生成ステップにて生成された前記レイアウト画面を前記表示部に表示させる画面表示ステップと、を含むことを特徴とする。
【０１６３】
実施形態の方法は、制御部と記憶部とを少なくとも備えたサーバ装置、および、読取部と制御部と表示部とを少なくとも備えた端末装置、を通信可能に接続したＢＩＭシステムにおいて実行される方法であって、前記サーバ装置の前記記憶部は、昇降機のＢＩＭパーツを作成するためのパーツ情報を記憶するパーツ情報記憶手段、を備え、前記端末装置の前記制御部において実行される、前記昇降機のカタログ上に表示されたコードを、前記読取部を制御して読み取り、当該コードに対応するコード情報を抽出するコード情報抽出ステップと、前記端末装置の前記制御部において実行される、前記コード情報抽出ステップにて抽出された前記コード情報に基づく前記昇降機の作成条件を前記サーバ装置へ送信する条件送信ステップと、前記サーバ装置の前記制御部において実行される、前記条件送信ステップにて前記端末装置から送信される前記作成条件に対応する前記ＢＩＭパーツを、前記パーツ情報記憶手段に記憶された前記パーツ情報を用いて作成する昇降機モデリングステップと、前記サーバ装置の前記制御部において実行される、前記昇降機モデリングステップにて作成された前記ＢＩＭパーツを前記端末装置へ送信する情報提供ステップと、前記端末装置の前記制御部において実行される、前記情報提供ステップにて前記サーバ装置から送信される前記作成条件に対応する前記ＢＩＭパーツを受信する情報取得ステップと、前記端末装置の前記制御部において実行される、前記情報取得手段により受信された前記ＢＩＭパーツを少なくとも含むレイアウト画面を生成する画面生成ステップと、前記端末装置の前記制御部において実行される、前記画面生成ステップにて生成された前記レイアウト画面を前記表示部に表示させる画面表示ステップと、を含むことを特徴とする。
【０１６４】
実施形態の方法は、表示部を少なくとも備えた端末装置に通信可能に接続された、制御部と記憶部とを少なくとも備えたサーバ装置において実行される方法であって、前記記憶部は、昇降機のＢＩＭパーツを作成するためのパーツ情報を記憶するパーツ情報記憶手段、を備え、前記制御部において実行される、前記端末装置から送信される前記昇降機の作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを前記端末装置へ送信する情報提供ステップと、を含み、前記端末装置において、前記作成条件に対応する前記ＢＩＭパーツを少なくとも含むように生成された前記レイアウト画面が前記表示部に表示され、前記作成条件は、前記端末装置において、前記昇降機のカタログ上に表示されたコードを、前記読取部を制御して読み取り、当該コードに対応するコード情報を抽出し、抽出された前記コード情報に基づいて生成された条件であることを特徴とする。
【０１６５】
実施形態の方法は、サーバ装置に通信可能に接続された、読取部と制御部と表示部とを少なくとも備えた端末装置において実行される方法であって、前記制御部において実行される、昇降機のカタログ上に表示されたコードを、前記読取部を制御して読み取り、当該コードに対応するコード情報を抽出するコード情報抽出ステップと、前記コード情報抽出ステップにて抽出された前記コード情報に基づく前記昇降機の作成条件を前記サーバ装置へ送信する条件送信ステップと、前記サーバ装置において前記昇降機のＢＩＭパーツを作成するためのパーツ情報を用いて作成された、前記作成条件に対応する前記ＢＩＭパーツを受信する情報取得ステップと、前記情報取得ステップにて受信された前記ＢＩＭパーツを少なくとも含むレイアウト画面を生成する画面生成ステップと、前記画面生成ステップにて生成された前記レイアウト画面を前記表示部に表示させる画面表示ステップと、を含むことを特徴とする。
【０１６６】
実施形態の方法は、制御部と記憶部とを少なくとも備えたサーバ装置、および、読取部と制御部と表示部とを少なくとも備えた端末装置、を通信可能に接続したＢＩＭシステムにおいて実行される方法であって、前記サーバ装置の前記記憶部は、昇降機のＢＩＭパーツを作成するためのパーツ情報を記憶するパーツ情報記憶手段、を備え、前記端末装置の前記制御部において実行される、前記昇降機のカタログ上に表示されたコードを、前記読取部を制御して読み取り、当該コードに対応するコード情報を抽出するコード情報抽出ステップと、前記端末装置の前記制御部において実行される、前記コード情報抽出ステップにて抽出された前記コード情報を前記サーバ装置へ送信する条件送信ステップと、前記サーバ装置の前記制御部において実行される、前記条件送信ステップにて前記端末装置から送信される前記コード情報に基づいた前記ＢＩＭパーツを、前記パーツ情報記憶手段に記憶された前記パーツ情報を用いて作成する昇降機モデリングステップと、前記サーバ装置の前記制御部において実行される、前記昇降機モデリングステップにて作成された前記ＢＩＭパーツを少なくとも含むレイアウト画面を生成する画面生成ステップと、前記サーバ装置の前記制御部において実行される、前記画面生成ステップにて生成された前記レイアウト画面を前記端末装置へ送信し、当該レイアウト画面を前記端末装置の前記表示部に表示させるように制御する画面表示制御ステップと、を含むことを特徴とする。
【０１６７】
実施形態の方法は、読取部と表示部とを少なくとも備えた端末装置に通信可能に接続された、制御部と記憶部とを少なくとも備えたサーバ装置において実行される方法であって、前記記憶部は、昇降機のＢＩＭパーツを作成するためのパーツ情報を記憶するパーツ情報記憶手段、を備え、前記制御部において実行される、前記端末装置から送信されるコード情報に基づいた前記ＢＩＭパーツを、前記パーツ情報記憶手段に記憶された前記パーツ情報を用いて作成する昇降機モデリングステップと、前記昇降機モデリングステップにて作成された前記ＢＩＭパーツを少なくとも含むレイアウト画面を生成する画面生成ステップと、前記画面生成ステップにて生成された前記レイアウト画面を前記端末装置へ送信し、当該レイアウト画面を前記端末装置の前記表示部に表示させるように制御する画面表示制御ステップと、を含み、前記コード情報は、前記端末装置において、前記昇降機のカタログ上に表示されたコードを、前記読取部を制御して読み取り、当該コードに対応するコード情報として抽出されたものであることを特徴とする。
【０１６８】
実施形態のプログラムは、読取部と制御部と記憶部と表示部とを少なくとも備えたＢＩＭシステムに実行させるためのプログラムであって、前記記憶部は、昇降機のＢＩＭパーツを作成するためのパーツ情報を記憶するパーツ情報記憶手段、を備え、前記制御部において、前記昇降機のカタログ上に表示されたコードを、前記読取部を制御して読み取り、当該コードに対応するコード情報を抽出するコード情報抽出ステップと、前記コード情報抽出ステップにて抽出された前記コード情報に基づいた前記ＢＩＭパーツを、前記パーツ情報記憶手段に記憶された前記パーツ情報を用いて作成する昇降機モデリングステップと、前記昇降機モデリングステップにて作成された前記ＢＩＭパーツを少なくとも含むレイアウト画面を生成する画面生成ステップと、前記画面生成ステップにて生成された前記レイアウト画面を前記表示部に表示させる画面表示ステップと、を実行させることを特徴とする。
【０１６９】
実施形態のプログラムは、表示部を少なくとも備えた端末装置に通信可能に接続された、制御部と記憶部とを少なくとも備えたサーバ装置に実行させるためのプログラムであって、前記記憶部は、昇降機のＢＩＭパーツを作成するためのパーツ情報を記憶するパーツ情報記憶手段、を備え、前記制御部において、前記端末装置から送信される前記昇降機の作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを前記端末装置へ送信する情報提供ステップと、を実行させ、前記端末装置において、前記作成条件に対応する前記ＢＩＭパーツを少なくとも含むように生成された前記レイアウト画面が前記表示部に表示され、前記作成条件は、前記端末装置において、前記昇降機のカタログ上に表示されたコードを、前記読取部を制御して読み取り、当該コードに対応するコード情報を抽出し、抽出された前記コード情報に基づいて生成された条件であることを特徴とする。
【０１７０】
実施形態のプログラムは、サーバ装置に通信可能に接続された、読取部と制御部と表示部とを少なくとも備えた端末装置に実行させるためのプログラムであって、前記制御部において、昇降機のカタログ上に表示されたコードを、前記読取部を制御して読み取り、当該コードに対応するコード情報を抽出するコード情報抽出ステップと、前記コード情報抽出ステップにて抽出された前記コード情報に基づく前記昇降機の作成条件を前記サーバ装置へ送信する条件送信ステップと、前記サーバ装置において前記昇降機のＢＩＭパーツを作成するためのパーツ情報を用いて作成された、前記作成条件に対応する前記ＢＩＭパーツを受信する情報取得ステップと、前記情報取得ステップにて受信された前記ＢＩＭパーツを少なくとも含むレイアウト画面を生成する画面生成ステップと、前記画面生成ステップにて生成された前記レイアウト画面を前記表示部に表示させる画面表示ステップと、を実行させることを特徴とする。
【０１７１】
実施形態のプログラムは、読取部と表示部とを少なくとも備えた端末装置に通信可能に接続された、制御部と記憶部とを少なくとも備えたサーバ装置に実行させるためのプログラムであって、前記記憶部は、昇降機のＢＩＭパーツを作成するためのパーツ情報を記憶するパーツ情報記憶手段、を備え、前記制御部において、前記端末装置から送信されるコード情報に基づいた前記ＢＩＭパーツを、前記パーツ情報記憶手段に記憶された前記パーツ情報を用いて作成する昇降機モデリングステップと、前記昇降機モデリングステップにて作成された前記ＢＩＭパーツを少なくとも含むレイアウト画面を生成する画面生成ステップと、前記画面生成ステップにて生成された前記レイアウト画面を前記端末装置へ送信し、当該レイアウト画面を前記端末装置の前記表示部に表示させるように制御する画面表示制御ステップと、を実行させ、前記コード情報は、前記端末装置において、前記昇降機のカタログ上に表示されたコードを、前記読取部を制御して読み取り、当該コードに対応するコード情報として抽出されたものであることを特徴とする。
【符号の説明】
【０１７２】
１０  カタログ
２０  コード
１００  端末装置
１０２  制御部
１０２ａ  コード情報抽出部
１０２ｂ  作成条件生成部
１０２ｃ  条件送信部
１０２ｄ  情報取得部
１０２ｅ  統合モデリング部
１０２ｆ  画面生成部
１０２ｇ  画面表示部
１０２ｈ  変更部
１０２ｉ  コード読取回数カウント部
１０４  通信制御インターフェース部
１０６  記憶部
１０６ａ  ＢＩＭモデルデータベース
１０８  入出力制御インターフェース部
１１２  読取部
１１４  表示部
１１６  音声出力部
１１８  入力部
２００  サーバ装置
２０２  制御部
２０２ａ  条件受信部
２０２ｂ  昇降機モデリング部
２０２ｃ  情報提供部
２０２ｄ  パース図作成部
２０２ｅ  見積り計算部
２０２ｆ  集計部
２０２ｇ  作成条件生成部
２０２ｈ  統合モデリング部
２０２ｉ  画面生成部
２０２ｊ  画面表示制御部
２０４  通信制御インターフェース部
２０６  記憶部
２０６ａ  パーツ情報データベース
２０６ｂ  ＢＩＭモデルデータベース
３００  ネットワーク
４００  ＢＩＭ装置
４０２  制御部
４０２ａ  コード情報抽出部
４０２ｂ  作成条件生成部
４０２ｃ  昇降機モデリング部
４０２ｄ  パース図作成部
４０２ｅ  見積り計算部
４０２ｆ  統合モデリング部
４０２ｇ  画面生成部
４０２ｈ  画面表示部
４０２ｉ  変更部
４０２ｊ  集計部
４０６  記憶部
４０６ａ  パーツ情報データベース
４０６ｂ  ＢＩＭモデルデータベース
４０８  入出力制御インターフェース部
４１２  読取部
４１４  表示部
４１６  音声出力部
４１８  入力部
【図１】
0005619114.tif 000002
【図２】
0005619114.tif 000003
【図３】
0005619114.tif 000004
【図４】
0005619114.tif 000005
【図５】
0005619114.tif 000006
【図６】
0005619114.tif 000007
【図７】
0005619114.tif 000008
【図８】
0005619114.tif 000009
【図９】
0005619114.tif 000010
【図１０】
0005619114.tif 000011
【図１１】
0005619114.tif 000012
【図１２】
0005619114.tif 000013
【図１３】
0005619114.tif 000014
【図１４】
0005619114.tif 000015